(57)【要約】【課題】撮影モードの設定及び撮影領域の設定を容易に行えるようにすることを目的とする。【解決手段】医療用Ｘ線撮影装置の操作パネル表示装置は、複数のＸ線撮影モードに対応する複数の撮影モード選択画像６３、６４、６５、６６を表示する撮影モード選択領域６２と、前記複数のＸ線撮影モードに対応するイラスト画像７２を表示するイラスト表示領域７０とを含む表示部３８ａと、表示部３８ａに表示された画像に対する操作を受付ける操作受付部とを備える。前記複数の撮影モード選択画像６３、６４、６５、６６のうちのいずれか１つに対する選択操作が受付けられると、撮影モード選択領域６２に、複数の撮影モード選択画像６３、６４、６５、６６のうち選択操作に応じた１つの撮影モード選択画像が視覚的に識別可能に表示されると共に、イラスト表示領域７０に、選択操作に応じたイラスト画像７２が表示される。【選択図】図４
2018064936.tif 000002
【特許請求の範囲】
【請求項１】
複数のＸ線撮影モードに対応する複数の撮影モード選択画像を表示する撮影モード選択領域と、前記複数のＸ線撮影モードに対応するイラスト画像を表示するイラスト表示領域とを含む表示パネルと、
前記表示パネルに表示された画像に対する操作を受付ける操作受付部と、
を備え、
前記複数の撮影モード選択画像のうちのいずれか１つに対する選択操作が受付けられると、前記撮影モード選択領域に、前記複数の撮影モード選択画像のうち前記選択操作に応じた１つの前記撮影モード選択画像が視覚的に識別可能に表示されると共に、前記イラスト表示領域に、前記選択操作に応じたイラスト画像が表示される、医療用Ｘ線撮影装置の操作パネル表示装置。
【請求項２】
請求項１記載の医療用Ｘ線撮影装置の操作パネル表示装置であって、
前記複数の撮影モード選択画像は、パノラマ撮影に対応するパノラマ撮影モード選択画像、セファロ撮影に対応するセファロ撮影モード選択画像、ＣＴ撮影に対応するＣＴ撮影モード選択画像、擬似口内法撮影に対応する擬似口内法撮影モード選択画像のうちの２つ以上を含む、医療用Ｘ線撮影装置の操作パネル表示装置。
【請求項３】
請求項１又は請求項２に記載の医療用Ｘ線撮影装置の操作パネル表示装置であって、
前記イラスト表示領域に、パノラマ撮影モードに対応するイラスト画像として、全顎パノラマ又は歯列弓の平面図を示すイラスト画像が表示される、医療用Ｘ線撮影装置の操作パネル表示装置。
【請求項４】
請求項１又は請求項２に記載の医療用Ｘ線撮影装置の操作パネル表示装置であって、
前記イラスト表示領域に、パノラマ撮影モードに対応するイラスト画像として、全顎パノラマのイラスト画像が表示され、前記全顎パノラマのイラスト画像に基づく撮影領域の選択操作が受付けられると、前記全顎パノラマのイラスト画像において、選択された部分パノラマの撮影領域が視覚的に識別可能に表示される、医療用Ｘ線撮影装置の操作パネル表示装置。
【請求項５】
請求項１から請求項４のいずれか１つに記載の医療用Ｘ線撮影装置の操作パネル表示装置であって、
前記イラスト表示領域に、セファロ撮影モードに対応するイラスト画像として、頭部外形の正面又は側面を示すイラスト画像が表示される、医療用Ｘ線撮影装置の操作パネル表示装置。
【請求項６】
請求項５記載の医療用Ｘ線撮影装置の操作パネル表示装置であって、
頭部外形の正面又は側面を示すイラスト画像が、部分セファロの撮影領域として区分可能な態様で複数の領域に区分され、複数の領域のうちの１以上の領域の選択操作が受付けられると、頭部外形の正面又は側面を示すイラスト画像において、選択された撮影領域が視覚的に識別可能に表示される、医療用Ｘ線撮影装置の操作パネル表示装置。
【請求項７】
請求項１から請求項６のいずれか１つに記載の医療用Ｘ線撮影装置の操作パネル表示装置であって、
前記イラスト表示領域に、ＣＴ撮影モードに対応するイラスト画像として、歯列弓の平面図を示すイラスト画像が表示される、医療用Ｘ線撮影装置の操作パネル表示装置。
【請求項８】
請求項１から請求項７のいずれか１つに記載の医療用Ｘ線撮影装置の操作パネル表示装置であって、
前記イラスト表示領域に、擬似口内法撮影モードに対応するイラスト画像として、全顎パノラマのイラスト画像が表示され、前記全顎パノラマのイラスト画像に基づく撮影領域の選択操作が受付けられると、前記全顎パノラマのイラスト画像において、選択された撮影領域が視覚的に識別可能に表示される、医療用Ｘ線撮影装置の操作パネル表示装置。
【請求項９】
請求項１から請求項７のいずれか１つに記載の医療用Ｘ線撮影装置の操作パネル表示装置であって、
前記イラスト表示領域に、擬似口内法撮影モードに対応するイラスト画像として、１つの歯牙番号毎に、又は、複数の歯牙番号を含むブロック毎に撮影領域を選択可能なように歯式画像が表示され、前記歯式画像に基づき撮影領域の選択操作が受付けられると、前記歯式画像に、選択操作された撮影領域が視覚的に識別可能に表示される、医療用Ｘ線撮影装置の操作パネル表示装置。
【請求項１０】
請求項１から請求項９のいずれか１つに記載の医療用Ｘ線撮影装置の操作パネル表示装置であって、
前記表示パネルは、前記複数のＸ線撮影モードに対応する撮影条件設定画像を表示する第１撮影条件設定領域を含み、
前記複数の撮影モード選択画像のうちのいずれか１つに対する選択操作が受付けられると、前記第１撮影条件設定領域に、前記選択操作に応じた撮影条件設定画像が表示される、医療用Ｘ線撮影装置の操作パネル表示装置。
【請求項１１】
請求項１０に記載の医療用Ｘ線撮影装置の操作パネル表示装置であって、
前記第１撮影条件設定領域に、パノラマ撮影モードに対応する撮影条件設定画像として、患者サイズを示す画像、及び、撮影対象となる顎形状を示す画像のうちの少なくとも１つが表示される、医療用Ｘ線撮影装置の操作パネル表示装置。
【請求項１２】
請求項１０又は１１に記載の医療用Ｘ線撮影装置の操作パネル表示装置であって、
前記第１撮影条件設定領域に、パノラマ撮影モードに対応する撮影条件設定画像として、患者歯列弓形状選択用画像が表示され、
前記患者歯列弓形状選択用画像の選択操作が受付けられると、前記表示パネルに、標準歯列弓を表す標準歯列弓イラスト画像及び前突歯列弓を表す前突歯列弓イラスト画像が表示される、医療用Ｘ線撮影装置の操作パネル表示装置。
【請求項１３】
請求項１０から請求項１２のいずれか１つに記載の医療用Ｘ線撮影装置の操作パネル表示装置であって、
前記第１撮影条件設定領域に、ＣＴ撮影モードに対応する撮影条件設定画像として、ＣＴ撮影領域サイズ選択用画像が表示され、
前記ＣＴ撮影領域サイズ選択用画像の選択操作が受付けられると、前記表示パネルに、相互に異なるＣＴ撮影領域サイズを表す複数のＣＴ撮影領域サイズ候補画像が表示される、医療用Ｘ線撮影装置の操作パネル表示装置。
【請求項１４】
請求項１０から請求項１３のいずれか１つに記載の医療用Ｘ線撮影装置の操作パネル表示装置であって、
前記第１撮影条件設定領域に、ＣＴ撮影モードに対応する撮影条件設定画像として、局所ＣＴ撮影モードを含むモードの選択指定を行うためのモード選択用画像が表示され、
局所ＣＴ撮影モードの選択が受付けられると、前記モード選択用画像として、局所ＣＴ撮影領域のサイズを示す局所ＣＴイラスト画像が表示される、医療用Ｘ線撮影装置の操作パネル表示装置。
【請求項１５】
請求項１４記載の医療用Ｘ線撮影装置の操作パネル表示装置であって、
局所ＣＴ撮影モードの選択が受付けられると、前記イラスト表示領域に、歯列弓の平面図のイラスト画像に局所ＣＴ撮影領域を示す円形形状を重畳表示した領域設定用イラスト画像が表示され、
歯列弓の平面図のイラスト画像に対する局所ＣＴ撮影領域を示す円形形状の相対移動が受付けられると、その相対移動に応じて、歯列弓の平面図のイラスト画像に対する局所ＣＴ撮影領域を示す円形形状の位置が変更される、医療用Ｘ線撮影装置の操作パネル表示装置。
【請求項１６】
請求項１４記載の医療用Ｘ線撮影装置の操作パネル表示装置であって、
前記イラスト表示領域に、局所ＣＴ撮影モードに対応するイラスト画像として、１つの歯牙番号毎に、又は、複数の歯牙番号を含むブロック毎に撮影領域を選択可能なように歯式画像が表示され、前記歯式画像に基づき撮影領域の選択操作が受付けられると、前記歯式画像に、選択操作された撮影領域が視覚的に識別可能に表示される、医療用Ｘ線撮影装置の操作パネル表示装置。
【請求項１７】
請求項１０から請求項１６のいずれか１つに記載の医療用Ｘ線撮影装置の操作パネル表示装置であって、
前記第１撮影条件設定領域に、セファロ撮影モードに対応する撮影条件設定画像として、撮影領域選択用画像が表示され、
前記撮影領域選択用画像の選択操作が受付けられると、前記表示パネルに、頭部正面外形を表す頭部正面外形イラスト画像及び頭部側面外形を示す頭部側面イラスト画像が表示される、医療用Ｘ線撮影装置の操作パネル表示装置。
【請求項１８】
請求項１０から請求項１７のいずれか１つに記載の医療用Ｘ線撮影装置の操作パネル表示装置であって、
前記第１撮影条件設定領域に、患者サイズ選択用画像が表示され、
前記患者サイズ選択用画像の選択操作が受付けられると、前記表示パネルに、相互に大きさが異なる上半身外形を表す複数の患者サイズ表示イラスト画像が表示される、医療用Ｘ線撮影装置の操作パネル表示装置。
【請求項１９】
請求項１から請求項１８のいずれか１つに記載の医療用Ｘ線撮影装置の操作パネル表示装置であって、
前記表示パネルは、前記複数のＸ線撮影モードに対応する撮影条件設定画像を表示する第２撮影条件設定領域を含み、
前記複数の撮影モード選択画像のいずれか１つの選択操作により、パノラマ撮影モード、ＣＴ撮影モード及びセファロ撮影モードのいずれか１つの撮影モードが受付けられると、前記第２撮影条件設定領域に、管電流表示を含む管電流設定用画像と、管電圧表示を含む管電圧設定用画像とが表示されると共に、これらの管電流設定用画像又は管電圧設定用画像の選択操作により、管電流又は管電圧の調整画像が表示される、医療用Ｘ線撮影装置の操作パネル表示装置。
【請求項２０】
請求項１から請求項１９のいずれか１つに記載の医療用Ｘ線撮影装置の操作パネル表示装置であって、
前記表示パネルに、前記複数のＸ線撮影モードのいずれかによって撮影されたＸ線画像が、左右上下の少なくとも１つを示す記号を重畳した状態で表示される、医療用Ｘ線撮影装置の操作パネル表示装置。
【請求項２１】
請求項１から請求項２０のいずれか１つの記載の医療用Ｘ線撮影装置の操作パネル表示装置を備える、医療用Ｘ線撮影装置。
【請求項２２】
医療用Ｘ線撮影装置の操作パネル表示装置における表示方法であって、
（ａ）撮影モード選択領域に、複数のＸ線撮影モードに対応する複数の撮影モード選択画像を表示するステップと、
（ｂ）前記複数の撮影モード選択画像のうちのいずれか１つに対する選択操作を受付けるステップと、
（ｃ）前記ステップ（ｂ）における選択操作が受付けられると、前記撮影モード選択領域に、前記複数の撮影モード選択画像のうち前記選択操作に応じた１つの前記撮影モード選択画像を視覚的に識別可能に表示するステップと、
（ｄ）前記ステップ（ｂ）における選択操作が受付けられると、イラスト表示領域に、前記選択操作に応じたイラスト画像を表示するステップと、
を備える医療用Ｘ線撮影装置の操作パネル表示装置における表示方法。
【請求項２３】
請求項２２記載の医療用Ｘ線撮影装置の操作パネル表示装置における表示方法であって、
前記工程（ａ）において、前記複数の撮影モード選択画像として、パノラマ撮影に対応するパノラマ撮影モード選択画像、セファロ撮影に対応するセファロ撮影モード選択画像、ＣＴ撮影に対応するＣＴ撮影モード選択画像、擬似口内法撮影に対応する擬似口内法撮影モード選択画像のうちの２つ以上を表示する、医療用Ｘ線撮影装置の操作パネル表示装置における表示方法。
【請求項２４】
請求項２２又は請求項２３に記載の医療用Ｘ線撮影装置の操作パネル表示装置における表示方法であって、
（ｅ）前記ステップ（ｂ）における選択操作が受付けられると、第１撮影条件設定領域に、前記選択操作に応じた撮影条件設定画像が表示されるステップをさらに備える、医療用Ｘ線撮影装置の操作パネル表示装置における表示方法。
【請求項２５】
請求項２２から請求項２４のいずれか１つに記載の医療用Ｘ線撮影装置の操作パネル表示装置における表示方法であって、
（ｆ）前記ステップ（ｂ）における選択操作によりパノラマ撮影モード、ＣＴ撮影モード及びセファロ撮影モードのいずれか１つの撮影モードが受付けられると、第２撮影条件設定領域に、管電流表示を含む管電流設定用画像と、管電圧表示を含む管電圧設定用画像とが表示されると共に、これらの管電流設定用画像又は管電圧設定用画像の選択操作により、管電流又は管電圧の調整画像が表示されるステップをさらに備える、医療用Ｘ線撮影装置の操作パネル表示装置における表示方法。
【請求項２６】
医療用Ｘ線撮影装置の操作パネルの表示プログラムであって、
前記操作パネルの表示を制御するコンピュータに、
（ａ）撮影モード選択領域に、複数のＸ線撮影モードに対応する複数の撮影モード選択画像を表示するステップと、
（ｂ）前記複数の撮影モード選択画像のうちのいずれか１つに対する選択操作を受付けるステップと、
（ｃ）前記ステップ（ｂ）における選択操作が受付けられると、前記撮影モード選択領域に、前記複数の撮影モード選択画像のうち前記選択操作に応じた１つの前記撮影モード選択画像を視覚的に識別可能に表示するステップと、
（ｄ）前記ステップ（ｂ）における選択操作が受付けられると、イラスト表示領域に、前記選択操作に応じたイラスト画像を表示するステップと、
を実行させるための表示プログラム。
【請求項２７】
請求項２６記載の表示プログラムであって、
前記工程（ａ）において、前記複数の撮影モード選択画像として、パノラマ撮影に対応するパノラマ撮影モード選択画像、セファロ撮影に対応するセファロ撮影モード選択画像、ＣＴ撮影に対応するＣＴ撮影モード選択画像、擬似口内法撮影に対応する擬似口内法撮影モード選択画像のうちの２つ以上を表示する、表示プログラム。
【請求項２８】
請求項２６又は請求項２７に記載の表示プログラムであって、
医療用Ｘ線撮影装置の操作パネル表示装置に、さらに、
（ｅ）前記ステップ（ｂ）における選択操作が受付けられると、第１撮影条件設定領域に、前記選択操作に応じた撮影条件設定画像を表示する処理を実行させるための表示プログラム。
【請求項２９】
請求項２６から請求項２８のいずれか１つに記載の表示プログラムであって、
医療用Ｘ線撮影装置の操作パネル表示装置に、さらに、
（ｆ）前記ステップ（ｂ）における選択操作によりパノラマ撮影モード、ＣＴ撮影モード及びセファロ撮影モードのいずれか１つの撮影モードが受付けられると、第２撮影条件設定領域に、管電流表示を含む管電流設定用画像と、管電圧表示を含む管電圧設定用画像とを表示させると共に、これらの管電流設定用画像又は管電圧設定用画像の選択操作により、管電流又は管電圧の調整画像を表示する処理を実行させるための表示プログラム。
【発明の詳細な説明】
【技術分野】
【０００１】
この発明は、医療用Ｘ線撮影装置の操作パネル表示装置において、操作された内容に関する情報を表示する技術に関する。
【背景技術】
【０００２】
特許文献１は、Ｘ線撮影装置用の操作パネルとして、液晶表示素子などによって実現される表示手段と、表示手段上に積重される入力手段とを有する構成を開示している。入力手段は、「パノラマ」キー、「リニアスキャン」キー、「セファロ」キー等を有しており、表示部の撮影形態表示領域とは別箇所に設けられている。そして、「パノラマ」キー、「リニアスキャン」キー、「セファロ」キーのいずれかを操作すると、撮影形態表示領域に、当該操作に応じた撮影形態が表示される。
【０００３】
特許文献２には、Ｘ線撮影装置の操作部として、タッチパネルの使用可能性が述べられている。
【０００４】
特許文献３には、ＣＴ撮影を行う際に、生体の一部又は全体を表示する画面（イラストやパノラマ画像等）が表示部に表示され、オペレータが撮影したい領域を操作パネルまたは操作部を介して指定することで、撮影領域が指定されることが開示されている。
【０００５】
特許文献４には、表示手段に、被写体模式図、撮影条件等を表示する構成が開示されている。
【０００６】
特許文献５には、撮影領域設定画面によって撮影領域の設定を行うことが開示されている。
【先行技術文献】
【特許文献】
【０００７】
【特許文献１】特開平７−３２７９８５号公報
【特許文献２】特開２０１６−００７３３８号公報
【特許文献３】特開２０１６−００２３５６号公報
【特許文献４】特開２００２−３１５７４６号公報
【特許文献５】特許第５７０９８２０号公報
【発明の概要】
【発明が解決しようとする課題】
【０００８】
しかしながら、特許文献１によると、表示部の撮影形態表示領域と、「パノラマ」キー、「リニアスキャン」キー、「セファロ」キー等、とは別箇所に設けられている。このため、「パノラマ」キー、「リニアスキャン」キー、「セファロ」キーのいずれかを操作しようとする際、又は、操作した後に、いずれの撮影形態が選択されているかを認識し難い。また、「パノラマ」キー、「リニアスキャン」キー、「セファロ」キーのいずれかを操作した後に、撮影領域等を設定しようとしても、当該設定を行い難いという問題があった。
【０００９】
特許文献２から特許文献５においても、上記問題を解決し得る構成は開示されていない。
【００１０】
そこで、本発明は、撮影モードの設定及び撮影領域の設定を容易に行えるようにすることを目的とする。
【課題を解決するための手段】
【００１１】
上記課題を解決するため、第１の態様に係る医療用Ｘ線撮影装置の操作パネル表示装置は、複数のＸ線撮影モードに対応する複数の撮影モード選択画像を表示する撮影モード選択領域と、前記複数のＸ線撮影モードに対応するイラスト画像を表示するイラスト表示領域とを含む表示パネルと、前記表示パネルに表示された画像に対する操作を受付ける操作受付部と、を備え、前記複数の撮影モード選択画像のうちのいずれか１つに対する選択操作が受付けられると、前記撮影モード選択領域に、前記複数の撮影モード選択画像のうち前記選択操作に応じた１つの前記撮影モード選択画像が視覚的に識別可能に表示されると共に、前記イラスト表示領域に、前記選択操作に応じたイラスト画像が表示されるものである。
【００１２】
第２の態様は、第１の態様に係る医療用Ｘ線撮影装置の操作パネル表示装置であって、前記複数の撮影モード選択画像は、パノラマ撮影に対応するパノラマ撮影モード選択画像、セファロ撮影に対応するセファロ撮影モード選択画像、ＣＴ撮影に対応するＣＴ撮影モード選択画像、擬似口内法撮影に対応する擬似口内法撮影モード選択画像のうちの２つ以上を含むものである。
【００１３】
第３の態様は、第１又は第２の態様に係る医療用Ｘ線撮影装置の操作パネル表示装置であって、前記イラスト表示領域に、パノラマ撮影モードに対応するイラスト画像として、全顎パノラマ又は歯列弓の平面図を示すイラスト画像が表示されるものである。
【００１４】
第４の態様は、第１又は第２の態様に係る医療用Ｘ線撮影装置の操作パネル表示装置であって、前記イラスト表示領域に、パノラマ撮影モードに対応するイラスト画像として、全顎パノラマのイラスト画像が表示され、前記全顎パノラマのイラスト画像に基づく撮影領域の選択操作が受付けられると、前記全顎パノラマのイラスト画像において、選択された部分パノラマの撮影領域が視覚的に識別可能に表示されるものである。
【００１５】
第５の態様は、第１から第４のいずれか１つの態様に係る医療用Ｘ線撮影装置の操作パネル表示装置であって、前記イラスト表示領域に、セファロ撮影モードに対応するイラスト画像として、頭部外形の正面又は側面を示すイラスト画像が表示されるものである。
【００１６】
第６の態様は、第５の態様に係る医療用Ｘ線撮影装置の操作パネル表示装置であって、頭部外形の正面又は側面を示すイラスト画像が、部分セファロの撮影領域として区分可能な態様で複数の領域に区分され、複数の領域のうちの１以上の領域の選択操作が受付けられると、頭部外形の正面又は側面を示すイラスト画像において、選択された撮影領域が視覚的に識別可能に表示されるものである。
【００１７】
第７の態様は、第１から第６のいずれか１つの態様に係る医療用Ｘ線撮影装置の操作パネル表示装置であって、前記イラスト表示領域に、ＣＴ撮影モードに対応するイラスト画像として、歯列弓の平面図を示すイラスト画像が表示されるものである。
【００１８】
第８の態様は、第１から第７のいずれか１つの態様に係る医療用Ｘ線撮影装置の操作パネル表示装置であって、前記イラスト表示領域に、擬似口内法撮影モードに対応するイラスト画像として、全顎パノラマのイラスト画像が表示され、前記全顎パノラマのイラスト画像に基づく撮影領域の選択操作が受付けられると、前記全顎パノラマのイラスト画像において、選択された撮影領域が視覚的に識別可能に表示されるものである。
【００１９】
第９の態様は、第１から第７のいずれか１つの態様に係る医療用Ｘ線撮影装置の操作パネル表示装置であって、前記イラスト表示領域に、擬似口内法撮影モードに対応するイラスト画像として、１つの歯牙番号毎に、又は、複数の歯牙番号を含むブロック毎に撮影領域を選択可能なように歯式画像が表示され、前記歯式画像に基づき撮影領域の選択操作が受付けられると、前記歯式画像に、選択操作された撮影領域が視覚的に識別可能に表示されるものである。
【００２０】
第１０の態様は、第１から第９のいずれか１つの態様に係る医療用Ｘ線撮影装置の操作パネル表示装置であって、前記表示パネルは、前記複数のＸ線撮影モードに対応する撮影条件設定画像を表示する第１撮影条件設定領域を含み、前記複数の撮影モード選択画像のうちのいずれか１つに対する選択操作が受付けられると、前記第１撮影条件設定領域に、前記選択操作に応じた撮影条件設定画像が表示されるものである。
【００２１】
第１１の態様は、第１０の態様に係る医療用Ｘ線撮影装置の操作パネル表示装置であって、前記第１撮影条件設定領域に、パノラマ撮影モードに対応する撮影条件設定画像として、患者サイズを示す画像、及び、撮影対象となる顎形状を示す画像のうちの少なくとも１つが表示されるものである。
【００２２】
第１２の態様は、第１０又は第１１の態様に係る医療用Ｘ線撮影装置の操作パネル表示装置であって、前記第１撮影条件設定領域に、パノラマ撮影モードに対応する撮影条件設定画像として、患者歯列弓形状選択用画像が表示され、前記患者歯列弓形状選択用画像の選択操作が受付けられると、前記表示パネルに、標準歯列弓を表す標準歯列弓イラスト画像及び前突歯列弓を表す前突歯列弓イラスト画像が表示されるものである。
【００２３】
第１３の態様は、第１０から第１２のいずれか１つの態様に係る医療用Ｘ線撮影装置の操作パネル表示装置であって、前記第１撮影条件設定領域に、ＣＴ撮影モードに対応する撮影条件設定画像として、ＣＴ撮影領域サイズ選択用画像が表示され、前記ＣＴ撮影領域サイズ選択用画像の選択操作が受付けられると、前記表示パネルに、相互に異なるＣＴ撮影領域サイズを表す複数のＣＴ撮影領域サイズ候補画像が表示されるものである。
【００２４】
第１４の態様は、第１０から第１３のいずれか１つの態様に係る医療用Ｘ線撮影装置の操作パネル表示装置であって、前記第１撮影条件設定領域に、ＣＴ撮影モードに対応する撮影条件設定画像として、局所ＣＴ撮影モードを含むモードの選択指定を行うためのモード選択用画像が表示され、局所ＣＴ撮影モードの選択が受付けられると、前記モード選択用画像として、局所ＣＴ撮影領域のサイズを示す局所ＣＴイラスト画像が表示されるものである。
【００２５】
第１５の態様は、第１４の態様に係る医療用Ｘ線撮影装置の操作パネル表示装置であって、局所ＣＴ撮影モードの選択が受付けられると、前記イラスト表示領域に、歯列弓の平面図のイラスト画像に局所ＣＴ撮影領域を示す円形形状を重畳表示した領域設定用イラスト画像が表示され、歯列弓の平面図のイラスト画像に対する局所ＣＴ撮影領域を示す円形形状の相対移動が受付けられると、その相対移動に応じて、歯列弓の平面図のイラスト画像に対する局所ＣＴ撮影領域を示す円形形状の位置が変更されるものである。
【００２６】
第１６の態様は、第１４の態様に係る医療用Ｘ線撮影装置の操作パネル表示装置であって、前記イラスト表示領域に、局所ＣＴ撮影モードに対応するイラスト画像として、１つの歯牙番号毎に、又は、複数の歯牙番号を含むブロック毎に撮影領域を選択可能なように歯式画像が表示され、前記歯式画像に基づき撮影領域の選択操作が受付けられると、前記歯式画像に、選択操作された撮影領域が視覚的に識別可能に表示されるものである。
【００２７】
第１７の態様は、第１０から第１６のいずれか１つの態様に係る医療用Ｘ線撮影装置の操作パネル表示装置であって、前記第１撮影条件設定領域に、セファロ撮影モードに対応する撮影条件設定画像として、撮影領域選択用画像が表示され、前記撮影領域選択用画像の選択操作が受付けられると、前記表示パネルに、頭部正面外形を表す頭部正面外形イラスト画像及び頭部側面外形を示す頭部側面イラスト画像が表示されるものである。
【００２８】
第１８の態様は、第１０から第１７のいずれか１つの態様に係る医療用Ｘ線撮影装置の操作パネル表示装置であって、前記第１撮影条件設定領域に、患者サイズ選択用画像が表示され、前記患者サイズ選択用画像の選択操作が受付けられると、前記表示パネルに、相互に大きさが異なる上半身外形を表す複数の患者サイズ表示イラスト画像が表示されるものである。
【００２９】
第１９の態様は、第１から第１８のいずれか１つの態様に係る医療用Ｘ線撮影装置の操作パネル表示装置であって、前記表示パネルは、前記複数のＸ線撮影モードに対応する撮影条件設定画像を表示する第２撮影条件設定領域を含み、前記複数の撮影モード選択画像のいずれか１つの選択操作により、パノラマ撮影モード、ＣＴ撮影モード及びセファロ撮影モードのいずれか１つの撮影モードが受付けられると、前記第２撮影条件設定領域に、管電流表示を含む管電流設定用画像と、管電圧表示を含む管電圧設定用画像とが表示されると共に、これらの管電流設定用画像又は管電圧設定用画像の選択操作により、管電流又は管電圧の調整画像が表示されるものである。
【００３０】
第２０の態様は、第１から第１９のいずれか１つの態様に係る医療用Ｘ線撮影装置の操作パネル表示装置であって、前記表示パネルに、前記複数のＸ線撮影モードのいずれかによって撮影されたＸ線画像が、左右上下の少なくとも１つを示す記号を重畳した状態で表示されるものである。
【００３１】
また、第２１の態様に係る医療用Ｘ線撮影装置は、第１から第２０のいずれか１つの態様に係る医療用Ｘ線撮影装置の操作パネル表示装置を備える。
【００３２】
また、上記課題を解決するため、第２２の態様は、医療用Ｘ線撮影装置の操作パネル表示装置における表示方法であって、（ａ）撮影モード選択領域に、複数のＸ線撮影モードに対応する複数の撮影モード選択画像を表示するステップと、（ｂ）前記複数の撮影モード選択画像のうちのいずれか１つに対する選択操作を受付けるステップと、（ｃ）前記ステップ（ｂ）における選択操作が受付けられると、前記撮影モード選択領域に、前記複数の撮影モード選択画像のうち前記選択操作に応じた１つの前記撮影モード選択画像を視覚的に識別可能に表示するステップと、（ｄ）前記ステップ（ｂ）における選択操作が受付けられると、イラスト表示領域に、前記選択操作に応じたイラスト画像を表示するステップと、を備える。
【００３３】
第２３の態様は、第２２の態様に係る医療用Ｘ線撮影装置の操作パネル表示装置における表示方法であって、前記工程（ａ）において、前記複数の撮影モード選択画像として、パノラマ撮影に対応するパノラマ撮影モード選択画像、セファロ撮影に対応するセファロ撮影モード選択画像、ＣＴ撮影に対応するＣＴ撮影モード選択画像、擬似口内法撮影に対応する擬似口内法撮影モード選択画像のうちの２つ以上を表示する。
【００３４】
第２４の態様は、第２２又は第２３の態様に係る医療用Ｘ線撮影装置の操作パネル表示装置における表示方法であって、（ｅ）前記ステップ（ｂ）における選択操作が受付けられると、第１撮影条件設定領域に、前記選択操作に応じた撮影条件設定画像が表示されるステップをさらに備える。
【００３５】
第２５の態様は、第２２から第２４のいずれか１つの態様に係る医療用Ｘ線撮影装置の操作パネル表示装置における表示方法であって、（ｆ）前記ステップ（ｂ）における選択操作によりパノラマ撮影モード、ＣＴ撮影モード及びセファロ撮影モードのいずれか１つの撮影モードが受付けられると、第２撮影条件設定領域に、管電流表示を含む管電流設定用画像と、管電圧表示を含む管電圧設定用画像とが表示されると共に、これらの管電流設定用画像又は管電圧設定用画像の選択操作により、管電流又は管電圧の調整画像が表示されるステップをさらに備える。
【００３６】
また、上記課題を解決するため、第２６の態様は、医療用Ｘ線撮影装置の操作パネルの表示プログラムであって、前記操作パネルの表示を制御するコンピュータに、（ａ）撮影モード選択領域に、複数のＸ線撮影モードに対応する複数の撮影モード選択画像を表示するステップと、（ｂ）前記複数の撮影モード選択画像のうちのいずれか１つに対する選択操作を受付けるステップと、（ｃ）前記ステップ（ｂ）における選択操作が受付けられると、前記撮影モード選択領域に、前記複数の撮影モード選択画像のうち前記選択操作に応じた１つの前記撮影モード選択画像を視覚的に識別可能に表示するステップと、（ｄ）前記ステップ（ｂ）における選択操作が受付けられると、イラスト表示領域に、前記選択操作に応じたイラスト画像を表示するステップとを実行させる。
【００３７】
第２７の態様は、第２６の態様に係る表示プログラムであって、前記工程（ａ）において、前記複数の撮影モード選択画像として、パノラマ撮影に対応するパノラマ撮影モード選択画像、セファロ撮影に対応するセファロ撮影モード選択画像、ＣＴ撮影に対応するＣＴ撮影モード選択画像、擬似口内法撮影に対応する擬似口内法撮影モード選択画像のうちの２つ以上を表示する。
【００３８】
第２８の態様は、第２６又は第２７の態様に係る表示プログラムであって、医療用Ｘ線撮影装置の操作パネル表示装置に、さらに、（ｅ）前記ステップ（ｂ）における選択操作が受付けられると、第１撮影条件設定領域に、前記選択操作に応じた撮影条件設定画像を表示する処理を実行させる。
【００３９】
第２９の態様は、第２６から第２８のいずれか１つの態様に係る表示プログラムであって、医療用Ｘ線撮影装置の操作パネル表示装置に、さらに、（ｆ）前記ステップ（ｂ）における選択操作によりパノラマ撮影モード、ＣＴ撮影モード及びセファロ撮影モードのいずれか１つの撮影モードが受付けられると、第２撮影条件設定領域に、管電流表示を含む管電流設定用画像と、管電圧表示を含む管電圧設定用画像とを表示させると共に、これらの管電流設定用画像又は管電圧設定用画像の選択操作により、管電流又は管電圧の調整画像を表示する処理を実行させる。
【発明の効果】
【００４０】
第１の態様によると、利用者が複数の撮影モード選択画像のうちのいずれか１つに対して操作すると、操作受付部により、その選択操作が受付けられ、前記撮影モード選択領域に、前記複数の撮影モード選択画像のうち前記選択操作に応じた１つの前記撮影モード選択画像が視覚的に識別可能に表示されると共に、前記イラスト表示領域に、前記選択操作に応じたイラスト画像が表示される。このため、利用者は、選択操作の前後で、選択されている撮影モードを認識し易く、撮影モードの設定を容易に行える。また、例えば、選択操作後には、利用者は、表示パネル内において、選択操作に応じて表示されたイラスト画像を利用して撮影領域の設定を容易に行えるようにすることができる。
【００４１】
第２の態様によると、パノラマ撮影、セファロ撮影、ＣＴ撮影及び擬似口内法撮影のうちの２つ以上を選択する際に、撮影モードの設定及び撮影領域の設定を容易に行える。
【００４２】
第３の態様によると、パノラマ撮影モードが選択されると、イラスト表示領域に、全顎パノラマ又は歯列弓の平面図を示すイラスト画像が表示される。このため、利用者は、全顎パノラマ又は歯列弓の平面図を示すイラスト画像を利用して、撮影領域の設定を容易に行える。
【００４３】
第４の態様によると、パノラマ撮影モードが選択されると、イラスト表示領域に、全顎パノラマのイラスト画像が表示される。このため、利用者は、全顎パノラマのイラスト画像を利用して、撮影領域の設定を容易に行える。また、その全顎パノラマのイラスト画像に、選択された撮影領域が視覚的に識別可能に表示されるため、利用者は選択された撮影領域を認識しつつ、撮影領域の設定をより容易に行える。
【００４４】
第５の態様によると、セファロ撮影モードが選択されると、イラスト表示領域に、頭部外形の正面又は側面を示すイラスト画像が表示される。このため、利用者は、頭部外形の正面又は側面を示すイラスト画像を利用して、撮影領域の設定を容易に行える。
【００４５】
第６の態様によると、利用者は、部分セファロの撮影領域を容易に指定できる。
【００４６】
第７の態様によると、ＣＴ撮影モードが選択されると、イラスト表示領域に、歯列弓の平面図を示すイラスト画像が表示される。このため、利用者は、歯列弓の平面図を示すイラスト画像を利用して、撮影領域の設定を容易に行える。
【００４７】
第８の態様によると、擬似口内法撮影モードが選択されると、イラスト表示領域に、全顎パノラマのイラスト画像が表示される。このため、利用者は、全顎パノラマのイラスト画像を利用して、撮影領域の設定を容易に行える。また、その全顎パノラマのイラスト画像に、選択された撮影領域が視覚的に識別可能に表示されるため、利用者は選択された撮影領域を認識しつつ、撮影領域の設定をより容易に行える。
【００４８】
第９の態様によると、擬似口内法撮影モードが選択されると、イラスト表示領域に、前記イラスト表示領域に、１つの歯牙番号毎に、又は、複数の歯牙番号を含むブロック毎に撮影領域を選択可能なように歯式画像が表示される。このため、利用者は、歯式画像を利用して、歯牙番号毎に又は複数の歯牙番号を含むブロック毎に撮影領域の設定を容易に行える。また、その歯式画像に、選択された撮影領域が視覚的に識別可能に表示されるため、利用者は選択された撮影領域を認識しつつ、撮影領域の設定をより容易に行える。
【００４９】
第１０の態様によると、撮影モードの選択操作に応じた撮影条件設定画像が表示されるため、利用者は、当該撮影モードに応じたより詳細な撮影条件を容易に設定できる。
【００５０】
第１１の態様によると、パノラマ撮影モードが選択されると、第１撮影領域設定領域に、患者サイズを示す画像、及び、撮影対象となる顎形状を示す画像のうちの少なくとも１つが表示されるため、利用者は、パノラマ撮影モードのより詳細な撮影条件を容易に設定できる。
【００５１】
第１２の態様によると、第１撮影条件設定領域に、パノラマ撮影モードに対応する撮影条件設定画像として、患者歯列弓形状選択用画像が表示されるため、利用者が患者歯列弓形状選択用画像の選択操作を行うと、表示パネルに、標準歯列弓を表す標準歯列弓イラスト画像及び前突歯列弓を表す前突歯列弓イラスト画像が表示される。そして、利用者が標準歯列弓イラスト画像又は前突歯列弓を表す前突歯列弓イラスト画像を選択操作すると、歯列弓形状を容易に変更することができる。
【００５２】
第１３の態様によると、第１撮影条件設定領域に、ＣＴ撮影モードに対応する撮影条件設定画像として、ＣＴ撮影領域サイズ選択用画像が表示されるため、利用者がＣＴ撮影領域サイズ選択用画像の選択操作を行うと、表示パネルに、相互に異なるＣＴ撮影領域サイズを表す複数のＣＴ撮影領域サイズ候補画像が表示される。そして、利用者が複数のＣＴ撮影領域サイズ候補画像を選択操作すると、ＣＴ撮影領域サイズを容易に変更することができる。
【００５３】
第１４の態様によると、局所ＣＴ撮影モードの選択が受付けられると、モード選択用画像として、局所ＣＴ撮影領域のサイズを示す局所ＣＴイラスト画像が表示されるため、利用者は、ＣＴ撮影を行う際において局所ＣＴ撮影領域のサイズを容易に認識できる。
【００５４】
第１５の態様によると、利用者は、歯列弓の平面図のイラスト画像における局所ＣＴ撮影領域を示す円形形状の位置を確認しつつ、局所ＣＴ撮影を行う領域を容易に変更できる。
【００５５】
第１６の態様によると、局所ＣＴ撮影モードが選択されると、イラスト表示領域に、前記イラスト表示領域に、１つの歯牙番号毎に、又は、複数の歯牙番号を含むブロック毎に撮影領域を選択可能なように歯式画像が表示される。このため、利用者は、歯式画像を利用して、歯牙番号毎に又は複数の歯牙番号を含むブロック毎に撮影領域の設定を容易に行える。また、その歯式画像に、選択された撮影領域が視覚的に識別可能に表示されるため、利用者は選択された撮影領域を認識しつつ、撮影領域の設定をより容易に行える。
【００５６】
第１７の態様によると、第１撮影条件設定領域に、セファロ撮影モードに対応する撮影条件設定画像として、撮影領域選択用画像が表示されるため、利用者が撮影領域選択用画像の選択操作を行うと、表示パネルに、頭部正面外形を表す頭部正面外形イラスト候補画像及び頭部側面外形を示す頭部側面イラスト画像が表示される。このため、利用者は、撮影領域の設定を容易に行える。
【００５７】
第１８の態様によると、利用者は、複数の患者サイズ表示イラスト画像を選択操作することで、患者サイズを容易に設定できる。
【００５８】
第１９の態様によると、利用者は管電流及び管電圧を容易に認識できると共に、それらの調整を容易に行える。
【００５９】
第２０の態様によると、利用者は、Ｘ線画像の向きを容易に把握できる。
【００６０】
第２１の態様によると、撮影モードの設定及び撮影領域の設定を容易に行える医療用Ｘ線撮影装置を得ることができる。
【００６１】
第２２の態様によると、利用者が複数の撮影モード選択画像のうちのいずれか１つに対して操作すると、その選択操作が受付けられ、前記撮影モード選択領域に、前記複数の撮影モード選択画像のうち前記選択操作に応じた１つの前記撮影モード選択画像が視覚的に識別可能に表示されると共に、前記イラスト表示領域に、前記選択操作に応じたイラスト画像が表示される。このため、利用者は、選択操作の前後で、選択されている撮影モードを認識し易く、撮影モードの設定を容易に行える。また、例えば、選択操作後には、利用者は、表示パネル内において、選択操作に応じて表示されたイラスト画像を利用して撮影領域の設定を容易に行えるようにすることもできる。
【００６２】
第２３の態様によると、パノラマ撮影、セファロ撮影、ＣＴ撮影及び擬似口内法撮影のうちの２つ以上を選択する際に、撮影モードの設定及び撮影領域の設定を容易に行える。
【００６３】
第２４の態様によると、撮影モードの選択操作に応じた撮影条件設定画像が表示されるため、利用者は、当該撮影モードに応じたより詳細な撮影条件を容易に設定できる。
【００６４】
第２５の態様によると、利用者は管電流及び管電圧を容易に認識できると共に、それらの調整を容易に行える。
【００６５】
第２６の態様によると、利用者が複数の撮影モード選択画像のうちのいずれか１つに対して操作すると、その選択操作が受付けられ、前記撮影モード選択領域に、前記複数の撮影モード選択画像のうち前記選択操作に応じた１つの前記撮影モード選択画像が視覚的に識別可能に表示されると共に、前記イラスト表示領域に、前記選択操作に応じたイラスト画像が表示される。このため、利用者は、選択操作の前後で、選択されている撮影モードを認識し易く、撮影モードの設定を容易に行える。また、例えば、選択操作後には、利用者は、表示パネル内において、選択操作に応じて表示されたイラスト画像を利用して撮影領域の設定を容易に行えるようにすることもできる。
【００６６】
第２７の態様によると、パノラマ撮影、セファロ撮影、ＣＴ撮影及び擬似口内法撮影のうちの２つ以上を選択する際に、撮影モードの設定及び撮影領域の設定を容易に行える。
【００６７】
第２８の態様によると、撮影モードの選択操作に応じた撮影条件設定画像が表示されるため、利用者は、当該撮影モードに応じたより詳細な撮影条件を容易に設定できる。
【００６８】
第２９の態様によると、利用者は管電流及び管電圧を容易に認識できると共に、それらの調整を容易に行える。
【図面の簡単な説明】
【００６９】
【図１】医療用Ｘ線撮影装置の全体構成を示す概略図である。
【図２】医療用Ｘ線撮影装置の電気的構成を示すブロック図である。
【図３】変形例に係る医療用Ｘ線撮影装置の電気的構成を示すブロック図である。
【図４】パノラマ撮影モード選択画像が選択された場合の表示例を示す図である。
【図５】全体的な表示処理を示すフローチャートである。
【図６】パノラマ撮影モード選択画像が選択された場合の他の表示例を示す図である。
【図７】第１撮影条件の設定受付処理を示すフローチャートである。
【図８】パノラマ撮影モードにおいて複数の関心領域設定用画像が表示された表示例を示す図である。
【図９】パノラマ撮影モードにおいて上顎洞パノラマ設定用画像が選択操作された場合の表示例を示す図である。
【図１０】パノラマ撮影モードにおいて顎関節設定用画像が選択操作された場合の表示例を示す図である。
【図１１】パノラマ撮影モードにおいて左右部位パノラマ設定用画像が選択操作された場合の表示例を示す図である。
【図１２】複数の患者サイズ選択用画像が表示された表示例を示す図である。
【図１３】複数の投影法設定用画像が表示された表示例を示す図である。
【図１４】複数の歯列弓形状選択用画像が表示された表示例を示す図である。
【図１５】イラスト画像において撮影領域が選択された表示例を示す図である。
【図１６】第２撮影条件の設定受付処理を示すフローチャートである。
【図１７】複数の照射設定用画像が表示された表示例を示す図である。
【図１８】管電圧の調整画像が表示された表示例を示す図である。
【図１９】管電流の調整画像が表示された表示例を示す図である。
【図２０】複数の撮影スピード設定用画像が表示された表示例を示す図である。
【図２１】セファロ撮影モードが選択された場合の表示例を示す図である。
【図２２】セファロ撮影モードにおいて複数の関心領域設定用画像が表示された表示例を示す図である。
【図２３】イラスト画像において撮影領域が選択された表示例を示す図である。
【図２４】セファロ撮影モードが選択された場合の他の表示例を示す図である。
【図２５】ＣＴ撮影モードが選択された場合の表示例を示す図である。
【図２６】ＣＴ撮影モードにおいて複数の関心領域設定用画像が表示された表示例を示す図である。
【図２７】複数の撮影領域設定用画像が表示された表示例を示す図である。
【図２８】ＣＴ撮影モードが選択された場合の表示例を示す図である。
【図２９】イラスト画像を利用して撮影を望む部分領域の設定受付を行った場合の表示例を示す図である。
【図３０】擬似口内法撮影モードが選択された場合の表示例を示す図である。
【図３１】擬似口内法撮影モードが選択された場合の表示例を示す図である。
【図３２】領域画像の他の設定例を示す図である。
【図３３】歯式画像を利用して領域を設定する場合の表示例を示す図である。
【図３４】歯式画像を利用して領域を設定する場合の表示例を示す図である。
【図３５】歯式画像を利用して領域を設定する場合の表示例を示す図である。
【図３６】撮像されたＸ線画像の表示例を示す図である。
【発明を実施するための形態】
【００７０】
以下、実施形態に係る医療用Ｘ線撮影装置及び操作パネル表示装置について説明する。ここでは、操作パネル表示装置が医療用Ｘ線撮影装置に一体的に組合わされた例を説明する。もっとも、操作パネル表示装置は、医療用Ｘ線撮影装置の他の部分とは別に提供されることもあり得る。
【００７１】
＜全体構成＞
図１は医療用Ｘ線撮影装置１０の全体構成を示す概略図である。医療用Ｘ線撮影装置１０は、撮影本体部２０と、Ｘ線画像処理装置４０とを備える。撮影本体部２０は、Ｘ線撮影（ここでは、Ｘ線ＣＴ撮影）を実行して、投影データを収集する装置である。Ｘ線画像処理装置４０は、撮影本体部２０において収集した投影データを処理して、各種画像を生成する装置である。本実施形態では、撮影本体部２０に操作パネル表示装置が組込まれた例を説明する。なお、医療用Ｘ線撮影装置１０は、複数種類のＸ線撮影を実行可能に構成されている。ここでは、医療用Ｘ線撮影装置１０は、パノラマ撮影、セファロ撮影、ＣＴ（Computed Tomography）撮影、擬似口内法撮影を実行可能に構成されている。
【００７２】
より具体的には、前記撮影本体部２０は、ベース２０Ｂに支持された支柱２８と、この支柱２８に昇降自在に設けられた昇降部２６と、この昇降部２６の上方で水平方向に延びるように支持された旋回アーム垂下用アーム部２５と、この旋回アーム垂下用アーム部２５の先端部下方に、ブラケット部等を介して重力方向に沿う回転軸回りに下向きに開口する姿勢で回転可能に支持されたＵ字型形状の旋回アーム２４と、この旋回アーム２４の両端部に対向して設けられたＸ線発生部２２とＸ線検出部２３と、前記Ｘ線発生部２２とＸ線検出部２３の間に配置され前記支柱２８から水平方向に延びる頭部固定装置用アーム部１１に固定されるパノラマ撮影やＣＴ撮影等に用いる頭部固定装置２１と、前記支柱２８から前記旋回アーム垂下用アーム部２５の延びる反対側に水平方向に延びるセファロ撮影用頭部固定装置垂下用アーム部１２に垂下されるセファロ撮影用頭部固定装置１３と、前記頭部固定装置用アーム部１１に支持された、操作パネル装置３８を含む本体制御部３０とを備えている。なお、図１において、本体制御部３０の操作パネル装置３８を、吹出し内に拡大して描いた。
【００７３】
前記Ｘ線発生部２２は、前記頭部固定装置２１に固定された被写体Ｍ１の頭部に向けてＸ線の束で構成されるＸ線ビームを出射可能に構成されている。前記Ｘ線検出部２３は、前記Ｘ線発生部２２から照射され、被写体Ｍ１の頭部を通過したＸ線を検出可能に構成されている。なお、セファロ撮影用のＸ線検出部２３ｂがセファロ撮影用頭部固定装置１３に組込まれている。
【００７４】
前記旋回アーム２４は、下向きに開口するＵ字状に形成された部材であり、両端部のそれぞれに、前記Ｘ線発生部２２及び前記Ｘ線検出部２３が対向状態で支持されている。前記支柱２８は、重力方向（鉛直方向）に沿って延びるように立設されており、この支柱２８の上端部に前記昇降部２６が昇降駆動可能に支持されている。前記昇降部２６は、前記支柱２８に対して一方側に突出している。前記旋回アーム２４は、前記旋回アーム垂下用アーム部２５の先端部に対して吊下げ状態で、重力方向に沿って延びる旋回軸周りに回転可能に支持されている。そして、前記昇降部２６の昇降移動によって、前記旋回アーム２４が昇降移動する。また、前記前記旋回アーム垂下用アーム部２５の先端部には、前記旋回アーム２４を回転駆動するモータ等の回転駆動部が組込まれており、その回転駆動部の回転駆動によって前記旋回アーム２４が回転する。
【００７５】
そして、前記旋回アーム２４の両端部の間にある前記頭部固定装置２１によって被写体Ｍ１の頭部を位置固定させた状態で、所望の撮影モードに応じて、前記旋回アーム２４を停止或は回転させた状態でＸ線撮影を行う。これにより、パノラマ撮影画像、セファロ撮影画像、ＣＴ撮影画像、擬似口内法撮影画像を生成するのに必要なＸ線画像データを得ることができる。例えば、前記旋回アーム２４を一定範囲回転させた状態でＸ線撮影を行うことで、パノラマ撮影画像を得ることができる。また、例えば、前記旋回アーム２４を停止させた状態で前記支柱２８から水平方向に延びるセファロ撮影用頭部固定装置垂下用アーム部１２から下垂されたセファロ撮影用頭部固定装置１３に被写体Ｍ１の頭部を位置固定させて前記Ｘ線発生部２２からＸ線照射してＸ線撮影を行うことで、セファロ撮影画像を得ることができる。また、例えば、前記旋回アーム２４を回転させた状態でＸ線撮影を行うことで、Ｘ線ＣＴ撮影画像を生成するのに必要なＸ線ＣＴ画像データを得ることができる。また、例えば、前記頭部固定装置２１によって被写体Ｍ１の頭部を位置固定させて前記旋回アーム２４を回転させた状態でＸ線撮影を行って撮影対象の３次元画像データを得、この画像データから擬似口内法撮影画像を得ることができる。なお、セファロ撮影画像の撮影機能、擬似口内法撮影画像の撮影機能等は省略されることもある。本操作パネル表示装置は、パノラマ撮影画像、セファロ撮影画像、ＣＴ撮影画像、擬似口内法撮影画像のうち少なくとも２つの撮影機能が実行される撮影装置において、適用されるのに適している。
【００７６】
本体制御部３０は、撮影本体部２０に対する各指示を受付け可能に構成されると共に、撮影本体部２０の各動作を制御可能に構成されている。本体制御部３０は、前記支柱２８から水平方向に伸びる前記頭部固定装置２１を支えるアームに固定されて設けられている。この本体制御部３０には、前記本体制御部３０からの各種情報を表示すると共に本体制御部３０に対する各種指令を受付けるための操作パネル装置３８が設けられている。操作パネル装置３８は、タッチパネルで構成され、操作パネル装置３８は、液晶表示パネル等の表示部の表示画面上に、タッチ検出部を配設した装置であり、表示画面に対するタッチ操作をタッチ検出部にて検出することで、本医療用Ｘ線撮影装置１０に対する操作を受付け可能に構成されている。操作パネル装置３８における表示画面例、タッチ操作の受付内容例、タッチ操作に基づく表示制御例等については、後でさらに詳細に説明する。なお、操作パネル装置３８の近くに、押しボタン等が設けられていてもよい。
【００７７】
撮影本体部２０の上記各部は、防Ｘ線室２９内に収容されている。この防Ｘ線室２９の壁の外側には、前記本体制御部３０にＸ線照射指示を行うデッドマンスイッチと呼ばれる押しボタンスイッチが設けられている。
【００７８】
なお、本実施形態では、前記Ｘ線発生部２２及び前記Ｘ線検出部２３は、Ｕ字状の旋回アーム２４の両端部に取付けられているが、Ｘ線発生部及びＸ線検出部は、環状部材によって対向状態に支持されていてもよい。また、本実施形態では、前記Ｘ線発生部２２及び前記Ｘ線検出部２３は、鉛直軸周りに回転可能に支持されているが、鉛直方向に対して直交する水平方向に沿った軸、又は、鉛直方向及び水平方向のいずれに対しても交差する傾斜方向に沿った軸の周りに回転可能に支持されていてもよい。
【００７９】
Ｘ線画像処理装置４０は、例えばコンピュータやワークステーション等で構成された情報処理本体部５０を備えており、通信ケーブルによって前記撮影本体部２０との間で各種データを送受信することができる。ただし、前記撮影本体部２０と前記Ｘ線画像処理装置４０との間で、無線通信でデータの送受が行われてもよい。
【００８０】
前記Ｘ線画像処理装置４０には、例えば液晶モニタ等のディスプレイ装置で構成される表示部４１、および、キーボードやマウス等で構成される操作部４２が接続されている。オペレータは、表示部４１に表示された文字や画像の上で、マウス等を介したポインタ操作等によって、情報処理本体部５０に対して各種指令を与えることができる。なお、前記表示部４１は、タッチパネルで構成することも可能であり、この場合は、前記表示部４１が前記操作部４２の機能の一部または全部を備えることとなる。また、前記操作パネル装置３８の代わりに前記表示部４１、および、操作部４２を使用するようにしても良い。このように構成する事で、Ｘ線撮影装置のコストを下げることにつなげられたり、また、術者が既に購入済みの前記Ｘ線画像処理装置４０を前記操作パネル装置３８の代わりに使用し、前記操作パネル装置３８の操作画面を前記表示部４１に表示したり、タッチパネル化した表示部であれば、その表示部で操作するようにしても良い。
【００８１】
＜医療用Ｘ線撮影装置のブロック図について＞
図２は医療用Ｘ線撮影装置１０の電気的構成を示すブロック図である。
【００８２】
前記撮影本体部２０の前記本体制御部３０は、前記撮影本体部２０のＸ線撮影動作を制御するものであり、ＣＰＵ（Central Processing Unit）３１、ＲＡＭ（Random Access Memory）３２、記憶部３３、入出力部３４ａ、３４ｂ、操作入力部３５、画像出力部３６等が、バスライン３７を介して相互接続された一般的なコンピュータによって構成されている。前記記憶部３３は、フラッシュメモリ、あるいは、ハードディスク装置等の不揮発性の記憶装置によって構成されており、撮影本体部２０がＸ線撮影に関する諸指示を受付ける際に表示部３８ａに対する表示を制御する表示プログラム３３ａ、撮影本体部２０がＸ線撮影を行う際の撮影プログラム３３ｂ等を格納している。ＲＡＭ３２は、ＣＰＵ３１が所定の処理を行う際の作業領域として供される。入出力部３４ａは、本撮影本体部２０の旋回アーム２４を旋回、昇降移動等させるモータ等（図２では駆動部２７として記載）、前記Ｘ線発生部２２及び前記Ｘ線検出部２３、２３ｂに接続されており、前記入出力部３４ｂは、前記Ｘ線画像処理装置４０と接続されている。また、操作入力部３５はタッチ検出部３８ｂに接続されており、画像出力部３６は表示部３８ａに接続されている。
【００８３】
この本体制御部３０では、表示プログラム３３ａに記述された手順及びタッチ検出部３８ｂを通じて受付けられた指示に従って、ＣＰＵ３１が演算処理を行うことにより、表示部３８ａに対する表示を制御しつつ、撮影に関する諸指示を受付ける。また、撮影プログラム３３ｂに記述された手順及び受付けられた撮影に関する諸指示に従って、ＣＰＵ３１が演算処理を行うことにより、駆動部２７及び前記Ｘ線発生部２２を駆動制御し、被写体Ｍ１を通じて前記Ｘ線検出部２３、２３ｂで検出された検出結果を得ることができる。
【００８４】
本実施形態では、表示部３８ａ及びタッチ検出部３８ｂを含む本体制御部３０が、医療用Ｘ線撮影装置の操作パネル表示装置である例の一つであり、この場合、表示部３８ａが表示パネルに対応し、タッチ検出部３８ｂが操作受付部に対応する。
【００８５】
前記Ｘ線画像処理装置４０は、前記撮影本体部２０からの撮影データに基づいてＸ線画像データ５３ｂを生成するものであり、情報処理本体部５０は、ＣＰＵ５１、ＲＡＭ５２、記憶部５３、入出力部５４、操作入力部５５及び画像出力部５６等が、バスライン５８を介して相互接続された一般的なコンピュータによって構成されている。記憶部５３は、フラッシュメモリ、あるいは、ハードディスク装置等の不揮発性の記憶装置によって構成されており、情報処理本体部５０が、撮影本体部２０からの撮影データに基づいてＸ線画像データ５３ｂを生成する画像処理プログラム５３ａ及びＸ線画像データ５３ｂ等を格納している。記憶部５３には、Ｘ線画像データ５３ｂと被写体Ｍ１の特定情報等を対応付けた管理データが格納されていてもよい。また、前記Ｘ線画像処理装置４０が前記本体制御部３０から撮影条件に関するデータ等を受取り、生成したＸ線画像データ５３ｂに当該撮影条件に関するデータ等を対応付けて前記記憶部５３に記憶するようにしてもよい。ＲＡＭ５２は、ＣＰＵ５１が所定の処理を行う際の作業領域として供される。前記入出力部５４は、撮影本体部２０と接続されており、当該入出力部５４を介して前記撮影本体部２０で得られたＸ線撮影データが入力される。また、操作入力部３５は前記操作部４２に接続されており、画像出力部５６は前記表示部４１に接続されている。
【００８６】
情報処理本体部５０では、画像処理プログラム５３ａに従って、ＣＰＵ３１が演算処理を行うことにより、撮影本体部２０で得られたＸ線撮影データに基づいて所望のＸ線画像データを生成する画像処理部としての処理を実行する。すなわち、本体制御部３０を通じて受付けられた指示に応じて、パノラマ撮影画像、セファロ撮影画像、ＣＴ撮影、擬似口内法撮影画像等のデータを生成する。記憶部５３は、生成されたＸ線画像データを記憶する。
【００８７】
なお、上記例では、表示プログラム３３ａが撮影本体部２０の本体制御部３０の記憶部３３に格納されている例で説明したが、図３に変形例に係る医療用Ｘ線撮影装置１０Ｂのように、Ｘ線画像処理装置４０Ｂの記憶部５３Ｂに、表示プログラム３３ａと同様の表示プログラム３３Ｂａが格納されていてもよい。この場合、表示部がタッチパネルで構成されていれば、操作パネル装置３８に対するのと同様に、当該表示部に対するタッチ操作を受付けることができる。表示部がタッチパネルではなく、例えば、単なる液晶モニタ等のディスプレイ装置で構成されている場合には、マウス等で当該装置に表示された画像に対する操作を受付けることができる。この場合、表示部及びマウス等の操作入力部を含むＸ線画像処理装置４０が、医療用Ｘ線撮影装置の操作パネル表示装置である例の一つであり、表示部が表示パネルに対応し、マウス等の操作入力部が操作受付部に対応する。
【００８８】
なお、上記表示プログラム３３ａ又は３３Ｂａは、予め記憶部３３又は５３Ｂに格納されているものであるが、ＣＤ−ＲＯＭあるいはＤＶＤ−ＲＯＭ、外部のフラッシュメモリ等の記録媒体に記録された形態で、あるいは、ネットワークを介した外部サーバからのダウンロードなどにより、既存の医療用Ｘ線撮影装置又は当該医療用Ｘ線撮影装置の制御を行う情報処理本体部に提供されることもあり得る。もっとも、上記各部において実現される一部あるいは全部の機能は、専用の論理回路等でハードウェア的に実現されてもよい。
【００８９】
＜表示処理について＞
＜表示画像における各領域のレイアウトについて＞
本体制御部３０による表示部３８ａの表示処理例を説明するのにあたって、表示部３８ａに表示される表示領域６０のレイアウトについて説明する。なお、ここでは、表示部３８ａに表示される表示画像の一例に基づいて説明する。後で説明するように、各領域に表示される実際の表示内容は、各撮影モードに応じて適宜変更される。表示領域６０は、撮影モード選択領域６２と、イラスト表示領域７０と、第１撮影条件設定領域８０と、第２撮影条件設定領域９０とを含む。
【００９０】
撮影モード選択領域６２は、複数のＸ線撮影モードに対応する撮影モード選択画像６３、６４、６５、６６を表示する領域である。ここでは、撮影モード選択領域６２は、表示領域６０における上部領域に設定されている。もっとも、撮影モード選択領域は、表示領域における他の領域、例えば、左側領域等に設定されていてもよい。
【００９１】
より具体的には、撮影モード選択領域６２は、パノラマ撮影モードに対応するパノラマ撮影モード選択画像６３と、セファロ撮影モードに対応するセファロ撮影モード選択画像６４と、ＣＴ撮影モードに対応するＣＴ撮影モード選択画像６５と、擬似口内法撮影モードに対応する擬似口内法撮影モード選択画像６６とを含む。
【００９２】
ここで、パノラマ撮影モードとは、口内全体（または口内の一部）を歯列に沿って１枚の画像を取得するために実行される撮影モードであり、例えば、旋回アーム２４を所定範囲回転させた状態でＸ線撮影を行うモードである。パノラマ撮影モード選択画像６３として、“Ｐａｎ”の文字を表す画像が表示されている。
【００９３】
セファロ撮影モードは、頭部Ｘ線規格写真撮影を行うために実行される撮影モードであり、例えば、旋回アーム２４を回転停止させた状態で頭部に対して一定方向からＸ線撮影を行うモードである。セファロ撮影モード選択画像６４として、“Ｃｅｐｈ”の文字を表す画像が表示されている。
【００９４】
ＣＴ撮影モードは、歯列全体（又は歯列の一部）の断層画像を得るために実行される撮影モードであり、例えば、旋回アーム２４を回転させた状態でＸ線撮影を行うモードである。ＣＴ撮影モード選択画像６５として、“ＣＴ”の文字を表す画像が表示されている。
【００９５】
擬似口内法撮影モードは、例えば、Ｘ線検出器を口外に置いて撮影する口外法による撮影によって、従来の口内法に類似する撮影を行う撮影法である。具体的には、例えば、撮影中に撮影領粋全体にX線照射しながら照射角度を変更してトモシンセシス撮影し、その撮像データに基づいて従来の口内法に類似する撮影画像を得る撮影モードである。このモードは、例えば、旋回アーム２４を所定範囲回転させた状態でＸ線撮影を行うモードである。擬似口内法撮影モード選択画像６６として、“ＴＴＳ”（Ｔｅｅｔｈ  Ｔｏｍｏｓｙｎｔｈｅｔｉｓを意味する）の文字を表す画像が表示されている。
【００９６】
撮影モード選択領域６２では、パノラマ撮影モード選択画像６３、セファロ撮影モード選択画像６４、ＣＴ撮影モード選択画像６５、擬似口内法撮影モード選択画像６６は、この順で、左から右に横並びとなるように配置されている。撮影モード選択画像６３、６４、６５、６６として表示される画像は、上記例に限られず、例えば、各撮影モードをイメージ化したイラスト等であってもよい。
【００９７】
また、本例では、撮影モード選択領域６２には、パノラマ撮影モード選択画像６３、セファロ撮影モード選択画像６４、ＣＴ撮影モード選択画像６５、擬似口内法撮影モード選択画像６６の４つの選択画像が表示されたが、これらに限られる必要は無い。もっとも、撮影モード選択領域６２には、複数の撮影モード選択画像として、パノラマ撮影に対応するパノラマ撮影モード選択画像、セファロ撮影に対応するセファロ撮影モード選択画像、ＣＴ撮影に対応するＣＴ撮影モード選択画像、擬似口内法撮影に対応する擬似口内法撮影モード選択画像のうちの２つ以上が表示されることが好ましい。
【００９８】
表示部３８ａの表示領域６０上には、当該表示領域６０に対するタッチ位置を検出する２次元位置検出部としてのタッチ検出部３８ｂが設けられている。そして、利用者が撮影モード選択画像６３、６４、６５、６６のいずれかにタッチすると、タッチ検出部３８ｂによって、撮影モード選択画像６３、６４、６５、６６のうちのいずれかに１つに対する選択操作が受け付けられる。この選択操作が受け付けられると、当該選択操作に応じた１つの撮像モード選択画像が視覚的に他の撮影領域選択画像に対して識別可能に表示される。図４では、パノラマ撮影モード選択画像６３が、他のモード選択画像６４、６５、６６に対して異なる色（色の濃淡が異なる場合を含む）で表示されて、他と識別可能とされている場合を例示している。図示の実施態様では、他のモード選択画像６４、６５、６６は完全に消去されるのではなく、表示としては残されている。
【００９９】
イラスト表示領域７０は、複数のＸ線撮影モードに対応するイラスト画像７２を表示する領域である。ここでは、イラスト表示領域７０は、表示領域６０の上下方向中間部であって最も大きく広がる両囲に配置される。このイラスト表示領域７０には、撮影モード選択領域６２の撮影モード選択画像６３、６４、６５、６６に対する選択操作に応じて、当該撮像モードを表すのに適したイラスト画像７２が表示される。図４では、パノラマ撮影モードに対応するイラスト画像７２を示している。なお、１つの撮影モードとイラスト画像とは必ずしも１対１で対応している必要は無く、例えば、１つの撮影モードに対して複数のイラスト画像が対応付けられていてもよい。また、１つの撮影モードに対して対応付けられたイラスト画像と同様のイラスト画像が他の撮像モードに対応付けられていてもよい。各撮影モードに対するイラスト画像の対応例については、後で説明する。
【０１００】
第１撮影条件設定領域８０は、複数のＸ線撮影モードに対応する撮影条件設定画像を表示する領域である。ここでは、第１撮影条件設定領域８０は、表示領域６０の右側部分に設けられている。ここでは、第１撮影条件設定領域８０には、パノラマ撮影モードに対応する撮影条件設定画像として、関心領域設定用画像８３Ａ、患者サイズ選択用画像８３Ｂ、投影法設定用画像８３Ｃ、歯列弓形状選択用画像８３Ｄが表示される。本実施形態の例では、関心領域設定用画像８３Ａは、“ＲＯＩ”の文字の横に関心領域のイラスト画像を付加した画像であり、患者サイズ選択用画像８３Ｂは、“Ｓｉｚｅ”の文字の横に上半身を示すイラスト画像及びサイズを示す文字“Ｍ”を付加した画像であり、投影法設定用画像８３Ｃは“Ｐｒｏｊ”の文字の横に歯列弓及び投影法のイラスト画像を付加した画像であり、歯列弓形状選択用画像８３Ｄは“Ｊａｗ”の文字の横に歯列弓形状を付加した画像である。つまり、第１撮影条件設定領域８０は、主として、撮影条件のうち被写体に関する撮影条件を設定するための画像を含む。なお、後述するように、同じ撮影モードであっても、例えば、いずれかの撮影条件設定画像８３Ａ、８３Ｂ、８３Ｃ、８３Ｄの設定操作に応じて、他の撮影条件設定画像８３Ａ、８３Ｂ、８３Ｃ、８３Ｄの表示の有無、内容が変更されることがあり得る。
【０１０１】
第２撮影条件設定領域９０は、複数のＸ線撮影モードに対応する撮影条件設定画像を表示する領域である。ここでは、第２撮影条件設定領域９０は、表示領域６０の下側部分に設けられている。ここでは、第２撮影条件設定領域９０には、パノラマ撮影モードに対応する撮影条件設定画像として、照射設定用画像９３Ａ、管電圧設定用画像９３Ｂ、管電流設定用画像９３Ｃ、撮影スピード設定用画像９３Ｄが表示される。照射設定用画像９３Ａは、“Ｅｘｐ”の文字の下に手動設定を表す文字“Ｍ”を付加した画像であり、管電圧設定用画像９３Ｂは管電圧単位を表す文字“ｋＶ”の下に管電圧設定値を表す数字（ここでは“７０”）を付加した画像であり、管電流設定用画像９３Ｃは管電流単位を表す“ｍＡ”の下に管電流設定値を表す数字（ここでは“８”）を付加した画像であり、撮影スピード設定用画像９３Ｄはスピード(Speed)を表す文字“Ｓｐｄ”の下にスピードの設定状態（ここでは、高速（High Speed）を示す文字“ＨＳ”）を付加した画像である。つまり、第２撮影条件設定領域９０は、主として、撮影条件のうち照射条件、アームの速度等の撮影装置自体の動作条件を設定するための画像を含む。なお、後述するように、同じ撮影モードであっても、例えば、いずれかの撮影条件設定画像９３Ａ、９３Ｂ、９３Ｃ、９３Ｄの設定操作に応じて、他の撮影条件設定画像９３Ａ、９３Ｂ、９３Ｃ、９３Ｄの表示の有無等がされることがあり得る。
【０１０２】
＜全体的な表示処理について＞
図５を参照して本体制御部３０による表示部３８ａの全体的な表示処理について説明する。
【０１０３】
まず、利用者が被写体Ｍ１を撮影本体部２０に対して位置付設定した後、利用者は、表示部３８ａ及びタッチ検出部３８ｂを含む操作パネル装置３８を用いて撮影モードの設定及び撮影条件の設定を行う。
【０１０４】
本体制御部３０は、ステップＳ１において、設定画面を表示する。初期に表示される設定画面としては、図４に示す例が考えられる。初期に表示される設定画面としては、前回の設定時の最終画面であることも考えられる。いずれにせよ、撮影モード選択領域６２に、複数のＸ線撮影モードに対応する複数の撮影モード選択画像６３、６４、６５、６６を表示する（ステップ（ａ））。
【０１０５】
本体制御部３０は、ステップＳ２において、複数の撮影モードのうちのいずれか１つに対する選択操作を受付ける（ステップ（ｂ）。利用者は、撮影モード選択領域６２に表示された撮影モード選択画像６３、６４、６５、６６のいずれかをタッチすることで、撮影を行おうとする撮影モードを選択することができる。利用者による選択は、タッチ検出部３８ｂによって受付けられる。なお、撮影モード選択画像６３、６４、６５、６６のいずれもが選択されない場合、既に選択されていた撮影モードが継続して選択されたと判断するとよい。
【０１０６】
ステップＳ２において、パノラマ撮影モードが選択された場合、ステップＳ３に進み、セファロ撮影モードが選択された場合、ステップＳ６に進み、ＣＴ撮影モードが選択された場合、ステップＳ９に進み、擬似口内法撮影モードが選択された場合、ステップＳ１２に進む。
【０１０７】
ステップＳ３では、パノラマ撮影モードに応じた画像を表示部３８ａに表示する。表示部３８ａに表示される画像は、例えば、図４に示すような画像である。
【０１０８】
この際、表示部３８ａの撮影モード選択領域６２では、複数の撮影モード選択画像６３、６４、６５、６６のうち選択操作に応じた１つが視覚的に識別可能に表示される。図４に示す例では、パノラマ撮影モード選択画像６３が、他のモード選択画像６４、６５、６６に対して異なる色（色の濃淡が異なる場合を含む）で表示されて、他と識別可能とされている。
【０１０９】
また、表示部３８ａのイラスト表示領域７０に、前記選択操作に応じたイラスト画像が表示される。図４に示す例では、イラスト表示領域７０に、パノラマ撮影モードに応じたイラスト画像７２として、全顎を正面視した全顎パノラマイラスト画像７３が表示されている。
【０１１０】
また、表示部３８ａの第１撮影条件設定領域８０には、前記選択操作に応じた第１撮影条件設定画像が表示される、図４に示す例では、第１撮影条件設定領域８０には、関心領域設定用画像８３Ａ、患者サイズ選択用画像８３Ｂ、投影法設定用画像８３Ｃ、歯列弓形状選択用画像８３Ｄが表示される。
【０１１１】
さらに、表示部３８ａの第２撮影条件設定領域９０には、前記選択操作に応じた第２撮影条件設定画像が表示される、図４に示す例では、照射設定用画像９３Ａ、管電圧設定用画像９３Ｂ、管電流設定用画像９３Ｃ、撮影スピード設定用画像９３Ｄが表示される。
【０１１２】
続く、ステップＳ４において、表示部３８ａに表示された第１撮影条件設定領域８０の関心領域設定用画像８３Ａ、患者サイズ選択用画像８３Ｂ、投影法設定用画像８３Ｃ、歯列弓形状選択用画像８３Ｄを利用して、第１撮影条件の設定受付がなされる。
【０１１３】
続く、ステップＳ５において、表示部３８ａに表示された第２撮影条件設定領域９０の照射設定用画像９３Ａ、管電圧設定用画像９３Ｂ、管電流設定用画像９３Ｃ、撮影スピード設定用画像９３Ｄを利用して、第２撮影条件の設定受付がなされる。
【０１１４】
この後、ステップＳ１５に進む。
【０１１５】
ステップＳ２において、セファロ撮影モードが選択された場合、ステップＳ６に進む。
【０１１６】
ステップＳ６では、セファロ撮影モードに応じた画像を表示部３８ａに表示する。
【０１１７】
続く、ステップＳ７、Ｓ８において、上記ステップＳ４、Ｓ５と同様に、第１撮影条件の設定受付、第２撮影条件の設定受付がなされる。この後、ステップＳ１５に進む。
【０１１８】
ステップＳ２において、ＣＴ撮影モードが選択された場合、ステップＳ９に進む。
【０１１９】
ステップＳ９では、ＣＴ撮影モードに応じた画像を表示部３８ａに表示する。
【０１２０】
続く、ステップＳ１０、Ｓ１１において、上記ステップＳ４、Ｓ５と同様に、第１撮影条件の設定受付、第２撮影条件の設定受付がなされる。この後、ステップＳ１５に進む。
【０１２１】
ステップＳ２において、擬似口内法撮影モードが選択された場合、ステップＳ１２に進む。
【０１２２】
ステップＳ１２では、擬似口内法撮影モードに応じた画像を表示部３８ａに表示する。
【０１２３】
続く、ステップＳ１３、Ｓ１４において、上記ステップＳ４、Ｓ５と同様に、第１撮影条件の設定受付、第２撮影条件の設定受付がなされる。この後、ステップＳ１５に進む。
【０１２４】
なお、セファロ撮影モード、ＣＴ撮影モード及び擬似口内法撮影モードのそれぞれに応じたイラスト表示領域７０における画像例、第１撮影条件設定領域８０における画像例、第２撮影条件設定領域９０における画像例については、後で表示画面を例示しつつ説明する。
【０１２５】
ステップＳ１５において、本体制御部３０は撮影開始指令が与えられたか否かを判定する。撮影開始指令は、例えば、利用者が、表示部３８ａの表示領域６０に表示されたキー６１（ここでは、右下に表示された“READY”領域）をタッチすることにより行う。ステップＳ１５において、撮影開始指令が与えられていないと判定されると、ステップＳ２に戻り、以下の処理を繰返す。ステップＳ１５において、撮影開始指令が与えられたと判定されると、ステップＳ１６に進み、設定された撮影モード及び撮影条件に従って、駆動部２７、Ｘ線発生部２２及びＸ線検出部２３を制御して、撮影を実行する。これにより、撮影モードの設定及び撮影条件の設定に関する処理を終了する。
【０１２６】
上記のように、ステップＳ２において選択操作が受付けられると、ステップＳ３、Ｓ６、Ｓ９、Ｓ１２において、撮影モード選択領域６２に、複数の撮影モード選択画像６３、６４、６５、６６のうち選択操作に応じた１つを視覚的に識別可能に表示する処理が実行される（ステップ（ｃ））。また、ステップＳ２において選択操作が受付けられると、イラスト表示領域７０に、前記選択操作に応じたイラスト画像７２を表示する処理が実行される（ステップ（ｄ））。また、ステップＳ２において選択操作が受付けられると、ステップＳ３、Ｓ６、Ｓ９、Ｓ１２において、第１撮影条件設定領域８０に、前記選択操作に応じた撮影条件設定画像（例えば、関心領域設定用画像８３Ａ、患者サイズ選択用画像８３Ｂ、投影法設定用画像８３Ｃ、歯列弓形状選択用画像８３Ｄ）を表示する処理が実行される（ステップ（ｅ））。
【０１２７】
＜パノラマ撮影モードにおける表示処理＞
パノラマ撮影モードが選択された場合における表示処理例についてより具体的に説明する。
【０１２８】
パノラマ撮影モードが選択された場合における表示部３８ａの表示画像例は、既に説明したように、撮影モード選択領域６２と、イラスト表示領域７０と、第１撮影条件設定領域８０と、第２撮影条件設定領域９０とを含む。
【０１２９】
撮影モード選択領域６２においては、パノラマ撮影モード選択画像６３が、他のモード選択画像６４、６５、６６に対して異なる色（色の濃淡が異なる場合を含む）で表示されて、他と識別可能とされている場合を例示している。
【０１３０】
イラスト表示領域７０は、複数のＸ線撮影モードに対応するイラスト画像７２を表示する領域である。図４に示す例では、イラスト表示領域７０には、パノラマ撮影モードに対応するイラスト画像として、全顎パノラマを示す全顎パノラマイラスト画像７２が表示されている。
【０１３１】
もっとも、図６に示すように、イラスト表示領域７０に、パノラマ撮影モードに対応するイラスト画像として、歯列弓の平面図を示すイラスト画像７３ａが表示されてもよい。
【０１３２】
第１撮影条件設定領域８０には、上記したように、パノラマ撮影モードに対応する撮影条件設定画像として、関心領域設定用画像８３Ａ、患者サイズ選択用画像８３Ｂ、投影法設定用画像８３Ｃ、歯列弓形状選択用画像８３Ｄが表示される。
【０１３３】
第２撮影条件設定領域９０には、上記したように、パノラマ撮影モードに対応する撮影条件設定画像として、照射設定用画像９３Ａ、管電圧設定用画像９３Ｂ、管電流設定用画像９３Ｃ、撮影スピード設定用画像９３Ｄが表示される。
【０１３４】
＜第１撮影条件設定処理＞
図７は、上記ステップＳ４の第１撮影条件の設定受付処理を示すフローチャートである。
【０１３５】
まず、ステップＳ２１において、関心領域設定用画像８３Ａを利用して、関心領域（ＲＯＩ）の設定受付がなされる。すなわち、関心領域設定用画像８３Ａは、“ＲＯＩ”の文字の横に関心領域のイラスト画像を付加した画像である。利用者が関心領域設定用画像８３Ａにタッチすると、図８に示すように、複数の関心領域設定用画像８３Ａ１〜８３Ａ４が表示される。複数の関心領域設定用画像８３Ａ１〜８３Ａ４は、歯列弓を関心領域とする標準パノラマ設定用画像８３Ａ１と、上顎洞を関心領域とする上顎洞パノラマ設定用画像８３Ａ２と、顎関節を関心領域とする顎関節設定用画像８３Ａ３と、歯列弓の左右部位を関心領域とする左右部位パノラマ設定用画像８３Ａ４とを含む。利用者が関心領域設定用画像８３Ａにタッチすると、イラスト画像７２の代りに、上記画像８３Ａ１〜８３Ａ４が横並びに表示される。この状態において、設定中の関心領域が他と識別可能に表示されている。図８に示す例では、標準パノラマ設定用画像８３Ａ１が、他の画像８３Ａ２，８３Ａ３，８３Ａ４に対して異なる色（色の濃淡が異なる場合を含む）で表示されている。
【０１３６】
そして、利用者が横並びに表示された画像８３Ａ１〜８３Ａ４のいずれかにタッチすると、関心領域（ＲＯＩ）の設定受付がなされる。なお、関心領域の設定受付が変更されない場合、現在の関心領域のまま次の処理に進む。
【０１３７】
ここで、標準パノラマ設定用画像８３Ａ１が選択操作された場合、図４に示す画像が続けて表示される。
【０１３８】
上顎洞パノラマ設定用画像８３Ａ２が選択操作された場合、図９に示すように、イラスト表示領域７０には、パノラマ撮影モードに対応するイラスト画像として、上顎洞を示すイラスト画像７２（２）が表示される。また、第１撮影条件設定領域８０には、パノラマ撮影モードに対応する撮影条件設定画像として、関心領域設定用画像８３Ａ２、患者サイズ選択用画像８３Ｂ、投影法設定用画像８３Ｃが表示され、歯列弓形状選択用画像８３Ｄの表示はなされない。なお、図９に図示の表示状態から図８のような関心領域設定用画像８３Ａ１〜８３Ａ４の表示状態にしたい場合は、関心領域設定用画像８３Ａ２のタッチによって変更が可能である。
【０１３９】
顎関節設定用画像８３Ａ３が選択操作された場合、図１０に示すように、イラスト表示領域７０には、パノラマ撮影モードに対応するイラスト画像として、左右の顎関節を示すイラスト画像７２（３）が表示される。また、第１撮影条件設定領域８０には、パノラマ撮影モードに対応する撮影条件設定画像として、関心領域設定用画像８３Ａ３、患者サイズ選択用画像８３Ｂ、投影法設定用画像８３Ｃや歯列弓形状選択用画像８３Ｄの表示はなされない。この条件で撮影開始すると左右の顎関節のパノラマ撮影が一度の操作で連続して行うことが出来る。
【０１４０】
左右部位パノラマ設定用画像８３Ａ４が選択操作された場合、図１１に示すように、イラスト表示領域７０には、パノラマ撮影モードに対応するイラスト画像として、歯列弓の左右部位を示すパノラマイラスト画像７２（４）が表示される。この条件を選択して撮影開始すると、左右の歯列の部分パノラマ撮影を一度の操作で連続して行うことが出来る。また、第１撮影条件設定領域８０には、パノラマ撮影モードに対応する撮影条件設定画像として、関心領域設定用画像８３Ａ４、患者サイズ選択用画像８３Ｂが表示され、投影法設定用画像８３Ｃが表示され、歯列弓形状選択用画像８３Ｄの表示はなされない。
【０１４１】
上記のように、関心領域の設定に応じて第１条件として設定可能な項目は異なる。ここでは、最も設定項目が多い標準パノラマ設定用画像８３Ａ１が選択操作された場合を例にして、以下の処理を説明する。
【０１４２】
次のステップＳ２２では、患者サイズ選択用画像８３Ｂを利用してサイズ設定の受付がなされる。すなわち、患者サイズ選択用画像８３Ｂは、“Ｓｉｚｅ”の文字の横に上半身を示すイラスト画像及びサイズを示す文字を付加した画像である。利用者が患者サイズ選択用画像８３Ｂにタッチすると、図１２に示すように、複数の患者サイズ選択用画像８３Ｂ１〜８３Ｂ４が表示される。複数の患者サイズ選択用画像８３Ｂ１〜８３Ｂ４は、相互に大きさが異なる上半身外形を表す複数の患者サイズ表示イラスト画像を含む。より具体的には、複数の患者サイズ選択用画像８３Ｂ１〜８３Ｂ４は、上半身外形を表す複数の患者サイズ表示イラスト画像にサイズを示す文字を付加した画像である。患者サイズ選択用画像８３Ｂ１は、最も小さい患者サイズ表示イラスト画像に“ｃ”（childの頭文字）を付加した画像であり、患者サイズ選択用画像８３Ｂ２は、次に小さい患者サイズ選択用画像に“Ｓ”（smallの頭文字）を付加した画像であり、患者サイズ選択用画像８３Ｂ３は、その次の小ささの患者サイズ選択用画像に“Ｍ”（middleの頭文字）を付加した画像であり、患者サイズ選択用画像８３Ｂ４は、最も大きい患者サイズ選択用画像に“Ｌ”（largeの頭文字）を付加した画像である。
【０１４３】
利用者が患者サイズ選択用画像８３Ｂにタッチすると、イラスト画像７２の代りに、上記画像８３Ｂ１〜８３Ｂ４が横並びに表示される。この状態において、設定中の患者サイズが他と識別可能に表示されている。図１２に示す例では、患者サイズ選択用画像８３Ｂ３が、他の画像８３Ｂ１、８３Ｂ２、８３Ｂ４に対して異なる色（色の濃淡が異なる場合を含む）で表示されている。
【０１４４】
そして、利用者が横並びに表示された画像８３Ｂ１〜８３Ｂ４のいずれかにタッチすると、患者サイズの設定受付がなされる。なお、患者サイズの設定受付が変更されない場合、現在の患者サイズのまま次の処理に進む。
【０１４５】
なお、本患者サイズ選択用画像８３Ｂを利用してサイズ設定を行う処理は、パノラマ撮影モードにおいて他の関心領域で撮影を行う場合、他の撮影モードで撮影を行う場合にも同様に実行される。
【０１４６】
次のステップＳ２３では、投影法設定用画像８３Ｃを利用して投影法設定の受付がなされる。すなわち、投影法設定用画像８３Ｃは、“Ｐｒｏｊ”の文字の横に投影法を示すイラスト画像及び投影法を示す文字を付加した画像である。利用者が投影法設定用画像８３Ｃにタッチすると、図１３に示すように、複数の投影法設定用画像８３Ｃ１〜８３Ｃ３が表示される。複数の投影法設定用画像８３Ｃ１〜８３Ｃ３は、それぞれ異なる投影法を示している。投影法設定用画像８３Ｃ１は、標準的な投影軌道でパノラマ撮影を行う投影法を示しており、投影法設定用画像８３Ｃ２は、顎骨に直交する投影軌道でパノラマ撮影を行う投影法を示しており、投影法設定用画像８３Ｃは歯列弓に直交する投影軌道でパノラマ撮影を行う投影法を示している。
【０１４７】
利用者が投影法設定用画像８３Ｃにタッチすると、イラスト画像７２の代りに、上記画像８３Ｃ１〜８３Ｃ３が横並びに表示される。この状態において、設定中の投影法が他と識別可能に表示されている。図１３に示す例では、標準パノラマを示す投影法設定用画像８３Ｃ１が、他の画像８３Ｃ２、８３Ｃ３に対して異なる色（色の濃淡が異なる場合を含む）で表示されている。
【０１４８】
そして、利用者が横並びに表示された画像８３Ｃ１〜８３Ｃ３のいずれかにタッチすると、投影法の設定受付がなされる。なお、投影法の設定受付が変更されない場合、現在の投影法のまま次の処理に進む。
【０１４９】
なお、パノラマ撮影モードにおいても、関心領域が異なれば投影法の設定は異なる。このため、設定された関心領域に応じて、当該関心領域に応じた投影法を表すのに適した投影法設定用画像が表示される。また、関心領域によっては投影法の設定が無い場合もありうる。
【０１５０】
次ステップＳ２４では、患者の歯列弓形状選択用画像８３Ｄを利用して歯列弓形状の受付がなされる。すなわち、歯列弓形状選択用画像８３Ｄは、“Ｊａｗ”の文字の横に歯列弓を示すイラスト画像を付加した画像である。利用者が歯列弓形状選択用画像８３Ｄをタッチすると、図１４に示すように、複数の歯列弓形状選択用画像８３Ｄ１〜８３Ｄ３が表示される。複数の歯列弓形状選択用画像８３Ｄ１〜８３Ｄ３は、それぞれ異なる歯列弓の形状を表している。歯列弓形状選択用画像８３Ｄ１は、標準歯列弓を表す標準歯列弓イラスト画像を含み、歯列弓形状選択用画像８３Ｄ２は犬歯のはみ出しが小さい歯列弓（左右の幅の小さい歯列弓）を表すイラスト画像（左右の幅の小さい歯列弓イラスト画像）を含み、歯列弓形状選択用画像８３Ｄ３は犬歯のはみ出しが大きい歯列弓を表すイラスト画像を含む。
【０１５１】
利用者が歯列弓形状選択用画像８３Ｄにタッチすると、イラスト画像７２の代わりに、上記画像８３Ｄ１〜８３Ｄ３が横並びに表示される。この状態において、設定中の投影法が他と識別可能に表示されている。図１４に示す例では、標準歯列弓を示す歯列弓形状選択用画像８３Ｄ３が、他の画像８３Ｄ１、８３Ｄ２に対して異なる色（色の濃淡が異なる場合を含む）で表示されている。
【０１５２】
そして、利用者が横並びに表示された画像８３Ｄ１〜８３Ｄ３のいずれかにタッチすると、歯列弓形状の設定受付がなされる。なお、歯列弓の形状の設定受付が変更されない場合、現在の歯列弓形状のまま次の処理に進む。なお、イラスト画像７２として歯列弓の平面図を示すイラスト画像７２を表示させている場合には、本ステップＳ２４において設定された歯列弓の形状に応じて、イラスト画像７２として表示させる歯列弓の平面図の形状を変更するとよい。例えば、左右の幅の小さい歯列弓が選択された場合には、イラスト画像７２としても当該幅の小さい歯列弓を表す画像を表示させるとよい。
【０１５３】
なお、パノラマ撮影モードにおいても、他の関心領域の設定下で撮影を行う場合には、歯列弓形状の設定画面は省略される。
【０１５４】
次ステップＳ２５では、撮影を望む部分領域の設定受付がなされる。部分領域の設定受付は、イラスト表示領域７０に表示された全顎パノラマのイラスト画像７２を利用して行われる。すなわち、図４に示すように、全顎パノラマのイラスト画像７２は、複数に区分されている。ここでは、イラスト画像７２は、上下に２分割され、左右に５分割されている。そして、利用者がイラスト画像７２のうち分割されたいずれかの領域にタッチすると、図１５に示すように、撮影領域の選択操作が受け付けられる。ここでは、利用者がイラスト画像７２のうち分割されたいずれかの領域にタッチすると、当該領域を含む部分が撮影領域から非撮影領域に切り替えられ、或いは、非撮影領域から撮影領域に切り替えられる。撮影領域と非撮影領域との間での切替は、タッチされた領域単位で行われてもよいし、タッチされた領域を含む複数の領域単位で切り替えられてもよい。後者の場合、例えば、上側の領域のいずれかがタッチされると、上側の領域全体を撮影領域と非撮影領域との間で切り替えることが考えられる。
【０１５５】
撮影領域の選択操作が受け付けられると、選択された部分パノラマの撮影領域が視覚的に識別可能に表示される。図１５に示す例では、全顎パノラマのイラスト画像７２のうち非撮影領域内の部分が消去され、撮影領域内の部分の表示が残っている。これにより、表示の有無によって撮影領域を識別することができる。
【０１５６】
なお、図４及び図１５に示す例では、全顎パノラマのイラスト画像７２を区分する境界直線が表示されているが、この直線は必ずしも表示されなくてもよい。また、撮影領域を識別可能に表示する構成としては、イラスト画像７２を、撮影領域と非撮影領域とで色分けして表示する構成、撮影領域を枠で囲む構成、撮影領域に模様を付する構成等が想定される。このようにして診断に必要な最低限の領域の部分パノラマＸ線撮影を行えるようにすることで、被曝線量を抑えることができる。
【０１５７】
図６に示すように、イラスト表示領域７０に、歯列弓の平面図を示すイラスト画像７３ａが表示されている場合にも、同様に、複数に区分された単位毎等で、撮影領域の選択操作が受け付けられてもよい。また、この場合、イラスト画像７３ａにおける歯列弓に沿って、焦点位置を繋ぐ曲線を表示し、その曲線をタッチ位置等に応じて歯列弓の前後に移動させたり、曲線の曲率を変更可能とすることで、当該焦点位置を調整可能としてもよい。
【０１５８】
そして、利用者がイラスト画像７２のいずれかの領域にタッチすると、撮影領域の選択操作が受け付けられ、第１撮影条件設定受付に関する処理が終了する。なお、撮影領域の設定受付が変更されない場合、現在の撮影領域のまま処理が終了する。
【０１５９】
＜第２撮影条件設定処理＞
図１６は、上記ステップＳ５の第２撮影条件の設定受付処理を示すフローチャートである。
【０１６０】
まず、ステップＳ３１において、照射設定用画像９３Ａを利用して、照射設定を行う。すなわち、照射設定用画像９３Ａは、文字“Ｅｘｐ”の下に照射設定の内容を示す文字を付記した画像である。利用者が照射設定用画像９３Ａにタッチすると、図１７に示すように、照射設定用画像９３Ａ１、９３Ａ２、９３Ａ３が列挙表示される。照射設定用画像９３Ａ１は、“Ａ”の文字を含む画像であり、自動設定（auto）を表す画像である。照射設定用画像９３Ａ２は、“Ｍ”の文字を含む画像であり、手動設定（manual）を表す画像である。照射設定用画像９３Ａ３は、“Ｏｆｆ”の文字を含む画像であり、Ｘ線をオフにすることを表している（照射せずにアームの回転等を行わせる場合に設定される）。
【０１６１】
利用者が照射設定用画像９３Ａにタッチすると、イラスト画像７２の代わりに、上記画像９３Ａ１、９３Ａ２、９３Ａ３が縦並びに表示される。この状態において、設定中の照射設定（ここでは、“Ｍ”設定）が他と識別可能に表示されている。
【０１６２】
そして、利用者がいずれかの画像９３Ａ１、９３Ａ２、９３Ａ３にタッチすると、照射設定の受付がなされる。なお、照射設定の受付変更がなされない場合、現在の照射設定がそのまま適用される。
【０１６３】
次ステップＳ３２において、管電圧設定用画像９３Ｂを利用して管電圧の設定がなされる。すなわち、管電圧設定用画像９３Ｂは、電圧の単位“ｋＶ”の下に電圧を数値表示した画像である。利用者が管電圧設定用画像９３Ｂにタッチすると、図１８に示すように、イラスト画像７２の代わりに、管電圧の調整画像９３Ｂ１が表示される。管電圧の調整画像９３Ｂ１は、管電圧を大きくする“＋”の記号と、管電圧を小さくする”−”の記号と、管電圧を示す数値表示箇所とを含んでいる。そして、利用者が、“＋”の記号箇所にタッチすると、管電圧の設定値が大きくなり、”−”の記号箇所にタッチすると、管電圧の設定値が小さくなり、各設定値が数値として表示される。管電圧の調整画像９３Ｂ１が表示されている状態では、管電圧設定用画像９３Ｂの数値表示箇所には、当該数値に代えて“ＯＫ”の文字が表示されており、管電圧の設定終了後、当該“ＯＫ”の文字箇所にタッチすると、管電圧の調整画像９３Ｂ１が消え、イラスト画像７２が再度表示されると共に、管電圧設定用画像９３Ｂが、上記設定値が反映された状態で表示される。
【０１６４】
次ステップＳ３３において、管電流設定用画像９３Ｃを利用して管電流の設定がなされる。すなわち、管電流設定用画像９３Ｃは、電流の単位“ｍＡ”の下に電流を数値表示した画像である。利用者が管電流設定用画像９３Ｃにタッチすると、図１９に示すように、イラスト画像７２の代わりに、管電流の調整画像９３Ｃ１が表示される。管電圧の調整画像９３Ｃ１は、管電流を大きくする“＋”の記号と、管電流を小さくする”−”の記号と、管電流を示す数値表示箇所とを含んでいる。そして、利用者が、“＋”の記号箇所にタッチすると、管電流の設定値が大きくなり、”−”の記号箇所にタッチすると、管電流の設定値が小さくなり、各設定値が数値として表示される。管電流の調整画像９３Ｃ１が表示されている状態では、管電流設定用画像９３Ｃの数値表示箇所には、当該数値に代えて“ＯＫ”の文字が表示されており、管電流の設定終了後、当該“ＯＫ”の文字箇所にタッチすると、管電流の調整画像９３Ｃ１が消え、イラスト画像７２が再度表示されると共に、管電流設定用画像９３Ｃが、上記設定値が反映された状態で表示される。
【０１６５】
次ステップＳ３４において、撮影スピード設定用画像９３Ｄを利用して撮影スピードの設定が受け付けられる。すなわち、撮影スピード設定用画像９３Ｄは、“Ｓｐｄ”の下にスピードの設定状態を付加した画像である。利用者が撮影スピード設定用画像９３Ｄにタッチすると、図２０に示すように、イラスト画像７２の代わりに、複数の撮影スピード設定用画像９３Ｄ１、９３Ｄ２が表示される。撮影スピード設定用画像９３Ｄ１は、“ＨＤ”の文字を含む画像であり、標準スピードを示している。撮影スピード設定用画像９３Ｄ２は、“ＨＳ”の文字を含んでおり、ハイスピードを示している。そして、利用者が、撮影スピード設定用画像９３Ｄ１、９３Ｄ２のいずれかにタッチすると、撮影スピードが標準スピード又はハイスピードに設定される。これに合わせて、撮影スピード設定用画像９３Ｄ１、９３Ｄ２の表示が消え、イラスト画像７２が再度表示されると共に、撮影スピード設定用画像９３Ｄが、上記設定を反映させた状態で表示される。
【０１６６】
なお、上記ステップ３１において、自動設定、又は、Ｏｆｆ設定がなされた場合には、管電圧設定用画像９３Ｂ及び管電流設定用画像９３Ｃは消去されるか、他の設定用画像に変わることもありうる。
【０１６７】
ここで、本実施形態の第１と第２の撮影条件設定の構成例は、複数の撮影条件に対応する複数の撮影条件設定画像が撮影条件設定領域に表示される構成例と考えることができる。
【０１６８】
複数の撮影条件には、さらに細分された下位の撮影条件からなるものが含まれる。
【０１６９】
また、下位の撮影条件には、さらに下位の、さらに細分された撮影条件からなるものが含まれる。
【０１７０】
例えば、第１撮影条件設定には、関心領域設定の撮影条件があり（図８の８３Ａ）、関心領域設定は、さらに細分された、標準パノラマ設定、上顎洞パノラマ設定、顎関節設定、左右部位パノラマ設定という下位の撮影条件からなる（図８の８３Ａ１〜Ａ４）。（関心領域設定の撮影条件は標準パノラマ設定、上顎洞パノラマ設定、顎関節設定、左右部位パノラマ設定という下位の撮影条件に対しては相対的に上位の撮影条件となる。）。
【０１７１】
そのうち、上顎洞パノラマ設定（図８の８３Ａ２）を例にとると、上顎洞パノラマ設定は、さらに細分された、患者サイズ選択、投影法設定というさらに下位の撮影条件の要素からなる（図９の８３Ｂ、８３Ｃ）。（上顎洞パノラマ設定の撮影条件は患者サイズ選択、投影法設定という下位の撮影条件に対しては相対的に上位の撮影条件となる。）。
【０１７２】
下位の撮影条件の設定が、上位の撮影条件の撮影条件設定画像に反映されることもある。
【０１７３】
例えば、図２０に示されるように、撮影スピード設定用画像９３Ｄ１、９３Ｄ２のいずれかの選択が撮影スピード設定用画像９３Ｄの表示に反映される。
【０１７４】
表示領域６０上、図２０について説明したように、撮影条件設定操作の表示になった場合に、イラスト画像７２の表示を撮影条件設定用画像９３Ｄ１、９３Ｄ２に切り替え、撮影条件の設定が済むとイラスト画像７２の表示に切り替えるようにしてもよく、表示領域６０の広さが限られている場合に好適である。
【０１７５】
＜セファロ撮影モードにおける表示処理＞
図２１はセファロ撮影モードが選択された場合における表示部３８ａの表示画像例を示す図である。図２１において、表示部３８ａに表示された表示画像例は、撮影モード選択領域６２と、イラスト表示領域７０と、第１撮影条件設定領域８０と、第２撮影条件設定領域９０とを含む。
【０１７６】
撮影モード選択領域６２においては、セファロ撮影モード選択画像６４が、他のモード選択画像６３、６５、６６に対して異なる色（色の濃淡が異なる場合を含む）で表示されて、他と識別可能とされている場合を例示している。
【０１７７】
図２１に示す例では、イラスト表示領域７０には、セファロ撮影モードに対応するイラスト画像として、頭部外形の側面を示すイラスト画像７４が表示されている。後述するように、セファロ撮影モードに対応するイラスト画像として、頭部外形の正面を示すイラスト画像、頭部外形の斜め後部を示すイラスト画像が表示される場合もある。また、本実施形態においては、セファロ撮影モードを選択したときに、手の撮影をも可能としているため、セファロ撮影モードを選択し、かつ、関心領域として手を設定した場合には、手のイラスト画像が表示されることもある。
【０１７８】
第１撮影条件設定領域８０には、セファロ撮影モードに対応する撮影条件設定画像として、関心領域設定用画像８４Ａ、患者サイズ選択用画像８４Ｂ、濃度補正設定用画像８４Ｃ、濃度補正開始位置設定用画像８４Ｄが表示される。関心領域設定用画像８４Ａの設定内容に応じて、他の画像８４Ｂ、８４Ｃ、８４Ｄの表示の有無が変更されたり、他の画像に変更されたりすることがあり得る。
【０１７９】
第２撮影条件設定領域９０には、セファロ撮影モードに対応する撮影条件設定画像として、照射設定用画像９４Ａ、管電圧設定用画像９４Ｂが表示される。関心領域設定用画像８４Ａの設定内容に応じて、第２撮影条件設定領域９０に他の画像（例えば、管電流設定用画像）が追加されること等があり得る。
【０１８０】
上記第１撮影条件設定領域８０を利用して、関心領域の設定、患者サイズの選択、濃度補正の有無等の設定、濃度補正開始位置設定等が受け付けられる。各関心領域設定用画像８４Ａ、患者サイズ選択用画像８４Ｂ上記パノラマ撮影モードにおける設定受付と同様である。また、濃度補正設定用画像８４Ｃを利用した各設定の受付処理は、表示をＯＮにすることで軟組織と硬組織とを同時に描写できるようにする設定であり、ＯＦＦにすれば軟組織は描写されない。濃度補正開始位置設定用画像８４Ｄを利用した各設定の受付処理は、表示をＯＮにするとイラスト表示領域７２に表示された頭部イラストに対して濃度補正の開始位置を示す数字が段階的に表示され、被写体の軟組織表面から濃度補正を掛ける開始位置と方向をステップ的に前後に設定できる。
【０１８１】
セファロ撮影モードにおける１つの特徴として把握可能な処理例として、関心領域設定用画像８４Ａが選択受付された場合の表示処理がある。すなわち、関心領域設定用画像８４Ａは、“ＲＯＩ”の文字の横に関心領域のイラスト画像を付加した画像である。関心領域設定用画像８４Ａは、撮影領域選択用画像であると捉えることもできる。利用者が関心領域設定用画像８４Ａにタッチすると、図２２に示すように、複数の関心領域設定用画像８４Ａ１〜８４Ａ４が表示される。複数の関心領域設定用画像８４Ａ１〜８４Ａ４は、それぞれ異なる関心領域（撮影領域）を示している。関心領域設定用画像８４Ａ１は、頭部側面の外形を示すイラスト画像を含み、関心領域設定用画像８４Ａ２は、頭部正面の外形を示すイラスト画像を含み、関心領域設定用画像８４Ａ３は頭部斜め後部の外形を示すイラスト画像を含み、関心領域設定用画像８４Ａ４は手の外形を示すイラスト画像を含む。
【０１８２】
関心領域設定用画像８４Ａ１は側面セファロ撮影のために、関心領域設定用画像８４Ａ２は正面セファロ撮影のために、関心領域設定用画像８４Ａ３は正面と側面の中間の角度からの投影画像撮影のために、関心領域設定用画像８４Ａ４は手の投影画像撮影のために、それぞれ準備されている。
【０１８３】
利用者が関心領域設定用画像８４Ａにタッチすると、イラスト画像７２の代りに、上記画像８４Ａ１〜８４Ａ４が横並びに表示される。この状態において、設定中の関心領域が他と識別可能に表示されている。そして、利用者が横並びに表示された画像８４Ａ１〜８４Ａ４のいずれかにタッチすると、関心領域（ＲＯＩ）の設定受付がなされる。なお、関心領域の設定受付が変更されない場合、現在の関心領域のまま次の処理に進む。
【０１８４】
ここで選択された、関心領域の設定受付は、イラスト画像７２にも反映される。すなわち、関心領域設定用画像８４Ａ２が選択受付されたときには、関心領域設定用画像８４Ａ２と同様に、イラスト画像として頭部正面の外形を示すイラスト画像が表示され、関心領域設定用画像８４Ａ３が選択受付されたときには、関心領域設定用画像８４Ａ３と同様に、頭部斜め後部の外形を示すイラスト画像が表示され、関心領域設定用画像８４Ａ４が選択受付されたときは、当該関心領域設定用画像８４Ａと同様に、手の外形を示すイラスト画像が表示され、掌を撮影位置に当てることで手のＸ線透過画像を撮影することができる。
【０１８５】
上記のように関心領域の設定受付がなされ、続いて他の第１撮影条件の設定受付処理がなされる。
【０１８６】
また、セファロ撮影モードにおいて、イラスト画像７４を利用して撮影を望む部分領域の設定受付を行うことができる。部分領域の設定受付は、例えば、イラスト表示領域７０に表示された頭部外形の側面を示すイラスト画像７４を利用して行われる。すなわち、図２１に示すように、頭部外形の側面を示すイラスト画像７４は、複数に区分されている。ここでは、イラスト画像７４は、上下に２分割され、左右に２分割されている。そして、利用者がイラスト画像７４のうち分割されたいずれかの領域にタッチすると、図２３に示すように、撮影領域の選択操作が受け付けられる。ここでは、利用者がイラスト画像７４のうち分割されたいずれかの領域にタッチすると、当該領域を含む部分が撮影領域から非撮影領域に切り替えられ、或いは、非撮影領域から撮影領域に切り替えられる。撮影領域と非撮影領域との間での切替は、タッチされた領域単位で行われてもよいし、タッチされた領域を含む複数の領域単位で切り替えられてもよい。後者の場合、例えば、上側の領域のいずれかがタッチされると、上側の領域全体を撮影領域と非撮影領域との間で切り替えることが考えられる。
【０１８７】
撮影領域の選択操作が受け付けられると、選択された部分パノラマの撮影領域が視覚的に識別可能に表示される。図２３に示す例では、頭部外形の側面を示すイラスト画像７４のうち非撮影領域内の部分（上側部分）が消去され、撮影領域内の部分（下側部分）の表示が残っている。これにより、表示の有無によって撮影領域を識別することができる。
【０１８８】
なお、イラスト画像７４を区分する境界直線は、必ずしも表示されなくてもよい。また、撮影領域を識別可能に表示する構成としては、イラスト画像７４を、撮影領域と非撮影領域とで色分けして表示する構成、撮影領域を枠で囲む構成、撮影領域に模様を付する構成等が想定される。
【０１８９】
図２４に示すように、イラスト表示領域７０に、頭部外形の正面を示すイラスト画像７４（１）が表示されている場合にも、同様に、複数に区分された単位毎等で、撮影領域の選択操作が受け付けられてもよい。図２１、２３、２４に示す例では、セファロ撮影のイラスト画像７４を区分する境界直線が表示されているが、この直線は必ずしも表示されなくてもよい。また、撮影領域を識別可能に表示する構成としては、イラスト画像７４を、撮影領域と非撮影領域とで色分けして表示する構成、撮影領域を枠で囲む構成、撮影領域に模様を付する構成等が想定される。このようにして診断に必要な最低限の領域の部分セファロＸ線撮影を行えるようにすることで、被曝線量を抑えることができる。
【０１９０】
そして、利用者がイラスト画像７４のいずれかの領域にタッチすると、撮影領域の選択操作が受け付けられ、第１撮影条件設定受付に関する処理が終了する。なお、撮影領域の設定受付が変更されない場合、現在の撮影領域のまま処理が終了する。
【０１９１】
第２撮影条件設定処理については、パノラマ撮影モードにおける設定受付処理と同様であるため、ここでは、その説明は省略する。
【０１９２】
＜ＣＴ撮影モードにおける表示処理＞
図２５はＣＴ撮影モードが選択された場合における表示部３８ａの表示画像例を示す図である。図２５において、表示部３８ａに表示された表示画像例は、撮影モード選択領域６２と、イラスト表示領域７０と、第１撮影条件設定領域８０と、第２撮影条件設定領域９０とを含む。
【０１９３】
撮影モード選択領域６２においては、ＣＴ撮影モード選択画像６５が、他のモード選択画像６３、６４、６６に対して異なる色（色の濃淡が異なる場合を含む）で表示されて、他と識別可能とされている場合を例示している。
【０１９４】
図２５に示す例では、イラスト表示領域７０には、ＣＴ撮影モードに対応するイラスト画像として、歯列弓の平面図を示すイラスト画像７５が表示されている。ＣＴ撮影モードに対応するイラスト画像として、顎関節を含む歯列弓の平面図を示すイラスト画像、顎関節部分の平面図を示すイラスト画像等が表示される場合もある。
【０１９５】
第１撮影条件設定領域８０には、ＣＴ撮影モードに対応する撮影条件設定画像として、関心領域設定用画像８５Ａ、患者サイズ選択用画像８５Ｂ、ＣＴ撮影モード選択用画像８５Ｃ、撮影領域設定用画像８５Ｄ、スキャンモード選択用画像８５Ｅが表示される。関心領域設定用画像８５Ａの設定内容に応じて、他の画像８５Ｂ、８５Ｃ、８５Ｄ、８５Ｅの表示の有無が変更されたり、他の画像に変更されたりすることがあり得る。
【０１９６】
第２撮影条件設定領域９０には、ＣＴ撮影モードに対応する撮影条件設定画像として、照射設定用画像９５Ａ、管電圧設定用画像９５Ｂ、管電流設定用画像９５Ｃ、解像度設定用画像９５Ｄが表示される。
【０１９７】
上記第１撮影条件設定領域８０を利用して、関心領域の設定、患者サイズの選択、ＣＴ撮影モードの選択、撮影領域の設定、スキャンモードの選択等が受け付けられる。これらを利用した各設定の受付処理は、各設定の具体的内容、各画像の種類等が異なることを除き、上記パノラマ撮影モードにおける設定受付と同様である。
【０１９８】
ＣＴ撮影モードにおける１つの特徴として把握可能な処理例として、関心領域設定用画像８５Ａが選択受付された場合の表示処理がある。すなわち、関心領域設定用画像８５Ａは、“ＲＯＩ”の文字の横に関心領域のイラスト画像を付加した画像である。利用者が関心領域設定用画像８５Ａにタッチすると、図２６に示すように、複数の関心領域設定用画像８５Ａ１〜８５Ａ３が表示される。複数の関心領域設定用画像８５Ａ１〜８５Ａ３は、それぞれ異なる関心領域（撮影領域）を示している。関心領域設定用画像８５Ａ１は、歯列弓全体の側面のイラスト画像を含み、関心領域設定用画像８５Ａ２は、顎関節部分の平面視のイラスト画像を含み、関心領域設定用画像８５Ａ３は顎関節を含む歯列弓全体の側面図を示すイラスト画像を含む。利用者が関心領域設定用画像８５Ａにタッチすると、イラスト画像７２の代りに、上記画像８５Ａ１〜８５Ａ３が横並びに表示される。この状態において、設定中の関心領域が他と識別可能に表示されている。そして、利用者が横並びに表示された画像８５Ａ１〜８５Ａ３のいずれかにタッチすると、関心領域（ＲＯＩ）の設定受付がなされる。なお、関心領域の設定受付が変更されない場合、現在の関心領域のまま次の処理に進む。
【０１９９】
ここで選択された、関心領域の設定受付は、イラスト画像７２にも反映される。すなわち、関心領域設定用画像８５Ａ２が選択受付されたときには、関心領域設定用画像８５Ａ２と同様に、イラスト画像として顎関節部分の平面視のイラスト画像が表示され、関心領域設定用画像８５Ａ３が選択受付されたときには、関心領域設定用画像８５Ａ３と同様に、顎関節を含む歯列弓全体の側面図を示すイラスト画像が表示され、図２７に示すＦＯＶ８５Ｄの表示が１５０、１５０の大きな撮影領域の表示となり,大きな撮影領域の撮影が行える。
【０２００】
なお、関心領域設定用画像８５Ａ１が設定受付された場合、歯列弓全体の平面のイラスト画像７５が表示され、当該イラスト画像７５において、歯列弓に対する撮影領域が識別可能に表示されている。図２５に示す例では、撮影領域が丸囲み部分で識別可能に表示されている。後述するように、歯列弓をＣＴ撮影する際には、その撮影領域の大きさを適宜設定することで、歯列弓全体又は歯列弓の一部をＣＴ撮影することができる。
【０２０１】
上記のように関心領域の設定受付がなされ、続いて他の第１撮影条件の設定受付処理がなされる。
【０２０２】
また、ＣＴ撮影モードにおいては、撮影領域設定用画像８５Ｄを用いて撮影領域（大きさ）の設定を受け付けることができる。すなわち、撮影領域設定用画像８５Ｄは、撮影領域の形状を立体的に表現したイラスト（例えば、円柱形状）に、その大きさを表す数値（直径、高さ等）の画像を付加したものであり、ＣＴ撮影領域サイズ選択用画像として把握することができる。利用者が撮影領域設定用画像８５Ｄにタッチすると、イラスト画像７２の代りに、図２７に示すように、複数の撮影領域設定用画像８５Ｄ１〜８５Ｄ８が表示される。この状態において、設定中の関心領域が他と識別可能に表示されている。撮影領域設定用画像８５Ｄ１〜８５Ｄ８は、相互に異なるＣＴ撮影領域サイズを表す複数のＣＴ撮影領域候補画像である。すなわち、撮影領域設定用画像８５Ｄ１〜８５Ｄ８は、直径、高さ、撮影領域形状のいずれかが異なるＣＴ撮影領域を設定するためのものである。一般的な歯顎の大きさを想定すると、比較的狭い領域設定用画面８５Ｄ１〜８５Ｄ２は、歯牙が３本程度撮影できる局所ＣＴ撮影モードの選択指定を行うための画像であり、また、比較的広い領域設定用画面８５Ｄ３〜８５Ｄ５は、ほぼ全歯顎を対象とするＣＴ撮影モードの選択指定を行うための画像である。また、広い領域設定用画面ＣＴ撮影モードの８５Ｄ６〜８５Ｄ８は撮影領域をルーロの三角形状とすることで臼歯部を含む完全に全歯顎を対象とする選択指定を行うための画像である。従って、撮影領域設定用画像８５Ｄは、局所ＣＴ撮影モードを含むモードの選択指定を行うためのモード選択用画像である。そして、利用者が表示された画像８５Ｄ１〜８５Ｄ８のいずれかにタッチすると、ＣＴ撮影領域サイズの設定受付がなされる。なお、サイズの設定受付が変更されない場合、現在の関心領域のまま次の処理に進む。因みに、各イラストの右に上下に記載された数字は、上が関心領域の直径（ｍｍ）を示し、下が関心領域の高さ（ｍｍ）を示す。関心領域の高さが８０の場合には、上下顎が撮影可能であり、４０又は５０の場合には、上顎又は下顎のいずれかのみの撮影に利用できることで、被曝線量を抑えた撮影ができる。
【０２０３】
ここで選択された、撮影領域の設定受付は、イラスト画像７５にも反映される。すなわち、設定された撮影領域の直径の大きさに応じて、イラスト画像７５において表示される撮影領域が変わる。例えば、撮影領域の直径が小さい値に設定されると、図２８に示すように、イラスト画像７５において表示される撮影領域（丸囲み部分）も小さくなる。なお、設定された撮影領域の直径の大きさに応じて、歯列弓の大きさを変更してもよい。
【０２０４】
また、ここで選択された、撮影領域の設定受付は、撮影領域設定用画像８５Ｄにも反映される。すなわち、設定された撮影領域の直径の大きさに応じて、撮影領域設定用画像８５Ｄにおいて表示される画像も変わる。表示される画像は、撮影領域設定用画像８５Ｄ１〜８５Ｄ８のうち選択されたものと同じである。撮影領域設定用画像８５Ｄ１〜８５Ｄ５は、相互に異なるＣＴ撮影領域サイズを示す画像であり、大きさが異なる円柱の部分と、大きさ（直径及び高さを示す数字とを含む。このため、局所ＣＴ撮影モードの選択（画像８５Ｄ１〜８５Ｄ２の選択）が受付けられると、モード選択用画像である撮影領域選択用画像８５Ｄとして、局所ＣＴ撮影領域のサイズを示す局所ＣＴイラスト画像（画像８５Ｄ１〜８５Ｄ２のいずれか）が表示される。これにより、利用者は、局所ＣＴ撮影を行う際に局所ＣＴ撮影領域のサイズの領域を容易に把握することができる。
【０２０５】
また、ＣＴ撮影モードにおいて、イラスト画像７４を利用して撮影を望む部分領域の設定受付を行うことができる。部分領域の設定受付は、例えば、図２９に示すように、歯列弓の平面図のイラスト画像に局所ＣＴ撮影領域を示す円形形状Ｃを重畳表示した領域設定用のイラスト画像７４において、歯列弓のいずれかの場所が指Ｆ等でタッチされると、当該タッチした位置に円形形状Ｃを移動させて移動させて行うことができる。円形形状Ｃの移動は、歯列弓に対して相対的な移動であればよく、従って、例えば、円形形状Ｃが表示部３８ａにおいて一定位置にあり、歯列弓の位置を円形形状Ｃに対して移動させて表示するようにしてもよい。また、歯列弓に対して円形形状Ｃの相対移動の指令は、上記のように、表示部３８ａに直接タッチして行う他、マウス等の２次元位置入力手段を用いて行われてもよいし、表示部３８ａに表示された上下、左右の移動画面（十字ボタンスイッチ画面）をタッチすること、又は、別途設けられた上下、左右移動用のスイッチを操作することでなされてもよい。
【０２０６】
このような局所ＣＴ撮影領域の設定については、例えば、特許第３９２６１２０号公報、特許第４７３９２７８等に記載されている技術等を適用可能である。
【０２０７】
なお、ＣＴ撮影領域の設定は、既に撮影済みのパノラマ画像又は２方向のスカウト画像（正面及び横方向からのＸ線画像）上でなされてもよい。ここでは、ＣＴ撮影モード選択用画像８５Ｃを利用して選択操作することで、上記歯列弓による撮影領域の設定の他、パノラマ画像又は２方向のスカウト画像に基づく撮影領域の設定が可能となる。
【０２０８】
そして、利用者がイラスト画像７４を利用して撮影を望む部分領域の設定受付を終了すると、第１撮影条件設定受付に関する処理が終了する。なお、撮影領域の設定受付が変更されない場合、現在の撮影領域のまま処理が終了する。
【０２０９】
第２撮影条件設定処理については、パノラマ撮影モードにおける設定受付処理と同様であるため、ここでは、その説明は省略する。
【０２１０】
＜擬似口内法撮影モードにおける表示処理＞
図３０は擬似口内法撮影モードが選択された場合における表示部３８ａの表示画像例を示す図である。図３０において、表示部３８ａに表示された表示画像例は、撮影モード選択領域６２と、イラスト表示領域７０と、第１撮影条件設定領域８０と、第２撮影条件設定領域９０とを含む。
【０２１１】
撮影モード選択領域６２においては、擬似口内法撮影モード選択画像６６が、他のモード選択画像６３、６４、６５に対して異なる色（色の濃淡が異なる場合を含む）で表示されて、他と識別可能とされている場合を例示している。
【０２１２】
図３０に示す例では、イラスト表示領域７０には、擬似口内法撮影モードに対応するイラスト画像として、全顎パノラマのイラスト画像７６が表示されている。選択された撮影領域を示す色彩を施した領域画像７６Ｅとして歯牙を半透明として撮影領域が表示される。擬似口内法撮影モードに対応するイラスト画像として、後述する歯式画像を示すイラスト画像等が表示される場合もある。
【０２１３】
第１撮影条件設定領域８０には、擬似口内法撮影モードに対応する撮影条件設定画像として、撮影条件設定用画像８６Ａ、患者サイズ選択用画像８６Ｂ、歯列弓形状選択用画像８６Ｄが表示される。
【０２１４】
第２撮影条件設定領域９０には、擬似口内法撮影モードに対応する撮影条件設定画像として、照射設定用画像９６Ａ、管電圧設定用画像９６Ｂ、管電流設定用画像９６Ｃ、解像度設定用画像９６Ｄが表示される。
【０２１５】
上記第１撮影条件設定領域８０を利用して、撮影条件の設定、患者サイズの選択、歯列弓形状の設定等が受け付けられる。撮影条件の設定では、複数種類からいずれかが選択できる。これらを利用した各設定の受付処理は、各設定の具体的内容、各画像の種類等が異なることを除き、上記パノラマ撮影モードにおける設定受付と同様である。
【０２１６】
擬似口内法撮影モードにおける１つの特徴として把握可能な処理例として、全顎パノラマのイラスト画像７６を利用して撮影を望む部分領域の設定受付を行う処理が挙げられる。すなわち、全顎パノラマのイラスト画像７６に対して、予め準備された選択可能な複数の領域画像７６Ｅが重畳されている。図３１では、説明の便宜上、各領域画像７６Ｅの境界を付したが、実際には表示されていない。領域画像７６Ｅは、例えば、上側の歯列弓に対して複数領域設定されると共に、下側の歯列弓に対して複数設定されている。各領域画像７６Ｅは、口内法にてＸ線撮影を行う際において採用されている１０枚法、１２枚法、１４枚法等に準じた画像として設定される。１０枚法は、上側の歯列弓に対して隣り合うもの間で重複させつつ５つの領域を設定すると共に、下側の歯列弓に対して隣り合うもの間で重複させつつ５つの領域を設定したものであり、各領域には、予め設定された所定の複数の歯が含まれる。このため、１０枚法で撮影された擬似口内法画像において、各領域に識別符号を割り当てると、当該識別符号を特定することで、撮影された歯（群）を特定することができる。１２枚法、１４枚法も、それぞれ上側の歯列弓及び下側の歯列弓のそれぞれに対して複数の領域を設定したものである。同様に、各領域に識別符号を割り当てると、当該識別符号を特定することで、撮影された歯（群）を特定することができる。
【０２１７】
図３０及び図３１に示す例では、１２枚法に従って、領域画像７６Ｅが設定されている。図３０及び図３１では選択されていない領域については、当該領域を規定する境界線が表示されていない。もっとも、当該境界線が表示されてもよい。そして、利用者が全顎パノラマのイラスト画像７６のいずれかの歯をタッチすると、当該イラスト画像７２において、選択された歯を含む撮影領域に対応する領域画像７６Ｅが選択的に識別可能に表示される。ここでは、選択された領域画像７６Ｅが他の領域に対して色を変えて表示される。選択された領域画像７６Ｅが他の領域に対して色を変えて表示される場合には、濃度が異なる場合を含むが、好ましくは、色相を変えて表示される。いずれにせよ、選択されていない領域のイラスト画像として表示されたままであるため、全額パノラマ中における撮影対象領域を把握し易い。図３０では下側の歯列の中央の選択された領域画像７６Ｅが他の画像に対して色を変えて表示されている。また、図３１では、下側の歯列の左側寄り（向かって右側寄り）の領域の選択された領域画像７６Ｅが他の画像に対して色を変えて表示されている。
【０２１８】
上記例では、１２枚法を適用した例について説明したが、例えば、１０枚法を適用した場合には、図３２に示すように、全顎パノラマのイラスト画像７６の上側の歯列に対して５つの領域が設定され、下側の歯列に対しても５つの領域が設定される。そして、上記と同様に、全顎パノラマのイラスト画像７６のいずれかの歯に利用者がタッチすると、いずれかの領域が選択され、当該選択された領域に対応する領域画像７６Ｅが他の画像に対して色を変えて表示される。
【０２１９】
もちろん、選択された領域画像７６Ｅ以外の画像を消して表示するようにしてもよい。上記複数の領域の設定は、利用者が表示部３８ａにタッチする以外に、マウス等による選択、又は、別途操作パネルに選択スイッチが設けられ、当該選択スイッチを操作することでいずれかの領域を選択できるようにしてもよい。
【０２２０】
また、本例では、１０枚法、１２枚法、１４枚法等、複数の歯を纏めたブロック単位で撮影対象領域を切り替える例について説明したが、歯牙単位で撮影領域を切り替えるようにしてもよい。
【０２２１】
なお、擬似口内法撮影領域の設定は、既に撮影済みのパノラマ画像上でなされてもよい。当該パノラマ画像上に上記各領域を重畳することで、上記と同様に、領域設定を行うことができる。
【０２２２】
そして、利用者がイラスト画像７６を利用して撮影を望む部分領域の設定受付を終了すると、第１撮影条件設定受付に関する処理が終了する。なお、撮影領域の設定受付が変更されない場合、現在の撮影領域のまま処理が終了する。
【０２２３】
第２撮影条件設定処理については、パノラマ撮影モードにおける設定受付処理と同様であるため、ここでは、その説明は省略する。
【０２２４】
＜領域指定に関する変形例＞
上記例では、全顎パノラマのイラスト画像７６を利用して擬似口内法撮影の領域を設定したが、次のように、歯式画像を利用して領域を設定することも考えられる。
【０２２５】
図３３及び図３４に示す例では、擬似口内法撮影モードに対応するイラスト画像として、歯式画像１７６が表示されている。図３３に示す例では、歯式画像１７６は、各歯に対応する歯式が当該歯の配列に従って並べられたイラスト画像を含む。歯式は、日本式の歯式であってもよいし、FDI方式(Two-digit system)の歯式であってもよいし、アメリカ式(Universal system)の歯式であってもよい。図３２及び図３３では日本式の歯式を示している。
【０２２６】
図３３は歯単位で撮影領域が歯式画像を用いて指定される場合を示している。すなわち、歯式画像１７６において、歯牙単位で撮影領域が設定されており、利用者がいずれかの歯牙に対応する歯式を指定することで、撮影領域が指定される。領域指定は、利用者が歯式画像１７６のうち歯式指定箇所にタッチすることでなされてもよいし、マウス等の指定によりなされてもよいし、テンキー等で歯式を直接指定することでなされてもよい。いずれにせよ、指定された撮影領域１７６Ｅは、視覚的に他と識別可能に表示される。図３３では、撮影領域１７６Ｅは他の画像に対して色を変えて表示される。
【０２２７】
図３４では、複数の歯単位で撮影領域を指定する場合を示している。すなわち、歯式画像１７６において、複数の歯牙番号を含むブロック単位で領域が設定されている。各ブロックは、上記したように、１０枚法、１２枚法、１４枚法等、擬似口内法撮影において用いられるブロック毎に設定されていてもよいし、他のブロック毎に設定されていてもよい。領域指定は、上記と同様、利用者が歯式画像１７６のうち歯式指定箇所にタッチすることでなされてもよいし、マウス等の指定によりなされてもよいし、テンキー等で歯式を直接指定することでなされてもよい。ここでも、指定された撮影領域１７６Ｅは、視覚的に他と識別可能に表示される。
【０２２８】
なお、図３５に示すように、上下の歯式番号が上下の歯列の配置に応じて環状に配置された歯式画像２７６においても、上記と同様に、歯牙番号単位で領域指定２７６Ｅ１を行うことができるし、また、複数の歯牙番号を含むブロック単位で、領域指定２７６Ｅ２を行うこともできる。
【０２２９】
＜局所ＣＴ撮影における領域指定の適用＞
上記擬似口内法撮影を行う際に適用された領域指定処理は、局所ＣＴ撮影を行う際に、撮影対象となる局所の撮影領域を指定する際にも用いることできる。
【０２３０】
特に、図３３〜図３５に示すように、擬似口内法撮影を行うために歯式画像１７６、２７６を用いた領域設定処理及び指定された領域を視認可能に表示する処理は、局所ＣＴ撮影を行う際に同様に適用することができる。
【０２３１】
＜撮影画像例について＞
本医療用Ｘ線撮影装置１０による撮影の結果得られるＸ線画像は、左右上下の少なくとも１つの記号を重畳した状態で表示されることが好ましい。
【０２３２】
例えば、図３６に示す例においては、擬似口内法撮影モードで指定された撮影対象を撮影して得られた擬似口内法Ｘ線画像３００の上部に上（up）を示す記号“Ｕ”が重畳され、下部に下（bellow）を示す記号“Ｂ”が重畳され、右部（向かって左）に右（right）を示す記号“Ｒ”が重畳され、左部（向かって右）に左（left）を示す記号“Ｌ”が重畳されている。上記左右上下の少なくとも１つの記号は、X線画像の内で重畳されてもよいし、外側に重畳されてもよい。擬似口内法Ｘ線画像３００には、その他、１０枚法、１２枚法、１４枚法等の撮影法（分割法）の種別、歯式の番号３０２（例えば、FDI方式(Two-digit system)の場合「１２、１１、２１、２２」等、歯牙番号や方向の記述は、その他、日本式、米国式のいずれの表示方式に従ってもよい）が重畳されてもよい。あるいは、前記撮影法におけるブロック番号が紐付けされて記憶されてもよい。これらの歯式の番号、方向又はブロック番号の表示は、擬似口内法Ｘ線画像３００に重畳されず、記憶部において擬似口内法Ｘ線画像３００に対して関連付けされて別途解剖学的配置に従って用意されたテンプレートに各画像を保存して記憶されてもよい。なお、このような解剖学的配置従って用意されたテンプレートに各画像を保存して紐付けすることで、各画像の呼出しや保存を行いやすくする方法は、擬似口内法Ｘ線画像でだけでなく、部分パノラマ画像や部分セファロ画像でも局所ＣＴ撮影画像でも良い。また、これらの歯式の番号、方向又はブロック番号の表示や上記関連付け記憶保存は、擬似口内法Ｘ線撮影に限定されずに、部分パノラマ撮影や局所ＣＴ撮影に使用されても良い。また、方向表示は、部分セファロ撮影に使用されても良い。
【０２３３】
左右上下の少なくとも１つの記号を重畳した状態で表示される画像は、その他、パノラマ撮影画像、セファロ撮影画像、ＣＴ画像であってもよい。
【０２３４】
また、歯式の番号、方向又はブロック番号は、部分パノラマ画像、又は、局所ＣＴ撮影画像に対して重畳して表示されてもよい。
【０２３５】
かかる撮像画像例は、上記した表示処理を行う医療用Ｘ線撮影装置に限られず、各種医療用Ｘ線撮影装置に適用可能である。
【０２３６】
＜効果＞
以上説明したように、本実施形態によると、利用者が複数の撮影モード選択画像６３、６４、６５、６６のうちのいずれか１つに対して操作すると、タッチ検出部３８ｂ等の操作受付部により、その選択操作が受付けられ、撮影モード選択領域６２に、複数の撮影モード選択画像６３、６４、６５、６６のうち前記選択操作に応じた１つが視覚的に識別可能に表示されると共に、イラスト表示領域７０に、選択操作に応じたイラスト画像７２等が表示される。このため、利用者は、選択操作の前後で、選択されている撮影モードを認識し易く、撮影モードの設定を容易に行える。また、選択操作後には、利用者は、表示部３８ａ内において、選択操作に応じて表示されたイラスト画像７２を利用して撮影領域の設定を容易に行える。
【０２３７】
また、上記表示処理が適用される撮影モードとして、パノラマ撮影、セファロ撮影、ＣＴ撮影及び擬似口内法撮影のうちの２つ以上を含むと、それらを選択する際に、撮影モードの設定及び撮影領域の設定を容易に行える。
【０２３８】
また、複数の撮影モード選択画像６３、６４、６５、６６のうちのいずれか１つに対する選択操作が受付けられると、第１撮影条件設定領域８０に、選択操作に応じた撮影条件設定画像（例えば、パノラマ撮影モードの場合、関心領域設定用画像８３Ａ、患者サイズ選択用画像８３Ｂ、投影法設定用画像８３Ｃ、歯列弓形状選択用画像８３Ｄ等）表示される。このため、利用者は、当該撮影モードに応じたより詳細な撮影条件を容易に設定できる。
【０２３９】
同様に、第１撮影条件設定領域８０を用いて、利用者は、当該撮影モードに応じたより詳細な撮影条件を容易に設定できる。
【０２４０】
また、パノラマ撮影モードが選択されると、イラスト表示領域７０に、全顎パノラマを示すイラスト画像７３又は歯列弓の平面図を示すイラスト画像７３ａが表示される。このため、利用者は、全顎パノラマ又は歯列弓の平面図を示すイラスト画像７３、７３ａを利用して、撮影領域の設定を容易に行える。
【０２４１】
また、利用者は、全顎パノラマのイラスト画像７３を利用して、撮影領域の設定を容易に行える。また、その全顎パノラマのイラスト画像７３に、選択された撮影領域が視覚的に識別可能に表示されるため、利用者は選択された撮影領域を認識しつつ、撮影領域の設定をより容易に行える。
【０２４２】
また、パノラマ撮影モードが選択されると、第１撮影条件設定領域８０に、患者サイズを示す画像として患者サイズ選択用画像８３Ｂ及び撮影対象となる顎形状を示す画像のうちの少なくとも１つが表示されるため、利用者は、パノラマ撮影モードのより詳細な撮影条件を容易に設定できる。
【０２４３】
また、第１撮影条件設定領域８０に、パノラマ撮影モードに対応する撮影条件設定画像として、歯列弓形状選択用画像８３Ｄが表示されるため、利用者が歯列弓形状選択用画像８３Ｄの選択操作を行うと、表示部３８ａに、標準歯列弓を表す標準歯列弓イラスト画像８３Ｄ１及び前突歯列弓を表す前突歯列弓イラスト画像８３Ｄ２が表示される。そして、利用者が標準歯列弓イラスト画像８３Ｄ１又は前突歯列弓を表す前突歯列弓イラスト画像８３Ｄ２を選択操作すると、当該選択操作に応じたイラスト画像がイラスト表示領域７０に表示される。このため、利用者は、イラスト表示領域７０に表示させるイラスト画像を容易に変更できる。
【０２４４】
また、各撮影モードにおいて、利用者が、第１撮影条件設定領域８０に表示された患者サイズ選択用画像８３Ｂを操作すると、複数の患者サイズ選択用画像８３Ｂ１〜８３Ｂ４が表示される。そして、利用者が複数の患者サイズ選択用画像８３Ｂ１〜８３Ｂ４を選択的に操作することで、患者サイズを容易に設定できる。
【０２４５】
また、第２撮影条件設定領域９０に、管電流設定用画像９３Ｃ及び管電圧設定用画像９３Ｂが表示され、それらの選択操作により、管電流の調整画像又は管電圧の調整画像が表示されるため、利用者は管電流又は管電圧を容易に認識できると共に、それらの調整を容易に行える。
【０２４６】
また、セファロ撮影モードが選択されると、イラスト表示領域７０に、頭部外形の正面又は側面を示すイラスト画像７４、７４（１）が表示される。このため、利用者は、頭部外形の正面又は側面を示すイラスト画像７４、７４（１）を利用して、撮影領域の設定を容易に行える。
【０２４７】
また、頭部外形の正面又は側面を示すイラスト画像７４、７４（１）が、部分セファロの撮影領域として区分可能な態様で複数の領域に区分され、複数の領域のうちの１以上の領域の選択操作が受付けられると、頭部外形の正面又は側面を示すイラスト画像７４、７４（１）において、選択された撮影領域が視覚的に識別可能に表示されるため、利用者は、部分セファロの撮影領域を容易に指定できる。
【０２４８】
また、ＣＴ撮影モードが選択されると、イラスト表示領域７０に、歯列弓の平面図を示すイラスト画像７５が表示される。このため、利用者は、歯列弓の平面図を示すイラスト画像７５を利用して、撮影領域の設定を容易に行える。
【０２４９】
また、第１撮影条件設定領域８０に、ＣＴ撮影モードに対応する撮影条件設定画像として、ＣＴ撮影領域サイズ選択用画像としての撮影領域設定用画像８５Ｄが表示される。利用者が撮影領域設定用画像８５Ｄを選択操作すると、相互に異なるＣＴ撮影領域を表す撮影領域設定用画像８５Ｄ１〜８５Ｄ８が表示される。そして、利用者が表示された画像８５Ｄ１〜８５Ｄ８のいずれかにタッチすると、ＣＴ撮影領域サイズを容易に変更することができる。
【０２５０】
また、利用者は、歯列弓の平面図を示すイラスト画像７５における局所ＣＴ撮影領域を示す円形形状の位置を確認しつつ、局所ＣＴ撮影を行う領域を容易に変更できる。
【０２５１】
また、擬似口内法撮影モードが選択されると、イラスト表示領域に、全顎パノラマのイラスト画像７６が表示される。このため、利用者は、全顎パノラマのイラスト画像７６を利用して、撮影領域の設定を容易に行える。また、その全顎パノラマのイラスト画像７６に、選択された撮影領域が視覚的に識別可能に表示されるため、利用者は選択された撮影領域を認識しつつ、撮影領域の設定をより容易に行える。
【０２５２】
また、擬似口内法撮影モードが選択されると、イラスト表示領域に、１つの歯牙番号毎に、又は、複数の歯牙番号を含むブロック毎に撮影領域を選択可能なように歯式画像１７６、２７６が表示される場合、利用者は、歯式画像を利用して、歯牙番号毎に又は複数の歯牙番号を含むブロック毎に撮影領域の設定を容易に行える。また、その歯式画像に、選択された撮影領域が視覚的に識別可能に表示されるため、利用者は選択された撮影領域を認識しつつ、撮影領域の設定をより容易に行える。
【０２５３】
また、実際に撮像されたＸ線画像において、左右上下の少なくとも１つの記号を重畳されることで、利用者は、Ｘ線画像の向きを容易に把握できる。
【０２５４】
なお、上記実施形態及び各変形例で説明した各構成は、相互に矛盾しない限り適宜組合わせることができる。具体的には、この明細書で説明した仕様は、パノラマ撮影機能、セファロ撮影機能、ＣＴ撮影機能、擬似口内法撮影機能の大きくは、４つの撮影機能を持つ兼用機を示したが、これらの中の一つ以上の撮影機能を持つＸ線撮影装置であれば、本発明の中に含まれる。
【０２５５】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０２５６】
１０、１０Ｂ    医療用Ｘ線撮影装置
２０    撮影本体部
３０    本体制御部
３３ａ、Ｂａ    表示プログラム
３８    タッチパネル装置
３８ａ    表示部
３８ｂ    タッチ検出部
４０、４０Ｂ    Ｘ線画像処理装置
４１    表示部
４２    操作部
５０    情報処理本体部
６０    表示領域
６２    撮影モード選択領域
６３    パノラマ撮影モード選択画像
６４    セファロ撮影モード選択画像
６５    ＣＴ撮影モード選択画像
６６    擬似口内法撮影モード選択画像
７０    イラスト表示領域
７２、７３、７３ａ、７４、７５、７６、７６Ｅ    イラスト画像
８０    第１撮影条件設定領域
８３Ａ、８３Ａ１〜８３Ａ４    関心領域設定用画像
８３Ｂ、８３Ｂ１〜８３Ｂ４    患者サイズ選択用画像
８３Ｃ、８３Ｃ１〜８３Ｃ３    投影法設定用画像
８３Ｄ、８３Ｄ１〜８３Ｄ３    歯列弓形状選択用画像
８４Ａ、８４Ａ１〜８４Ａ４    関心領域設定用画像
８４Ｂ    患者サイズ選択用画像
８４Ｃ    濃度補正選択用画像
８４Ｄ    軟部組織設定用画像
８５Ａ、８５Ａ１〜８５Ａ３    関心領域設定用画像
８５Ｂ    患者サイズ選択用画像
８５Ｃ    ＣＴ撮影モード選択用画像
８５Ｄ、８５Ｄ１〜８５Ｄ８    撮影領域設定用画像
８５Ｅ    スキャンモード選択用画像
８６Ａ    条件設定用画像
８６Ｂ    患者サイズ選択用画像
８６Ｄ    歯列弓形状選択用画像
９０    第２撮影条件設定領域
９３Ａ、９３Ａ１〜９３Ａ３    照射設定用画像
９３Ｂ    管電圧設定用画像
９３Ｂ１    調整画像
９３Ｃ    管電流設定用画像
９３Ｃ１    調整画像
９３Ｄ、９３Ｄ１、９３Ｄ２    撮影スピード設定用画像
９４Ａ    照射設定用画像
９４Ｂ    管電圧設定用画像
９５Ａ    照射設定用画像
９５Ｂ    管電圧設定用画像
９５Ｃ    管電流設定用画像
９５Ｄ    解像度設定用画像
９６Ａ    照射設定用画像
９６Ｂ    管電圧設定用画像
９６Ｃ    管電流設定用画像
９６Ｄ    解像度設定用画像
１７６、２７６    歯式画像
１７６Ｅ    撮影領域
２７６Ｅ１、２７６Ｅ２    領域指定
３００    擬似口内法Ｘ線画像
【図１】
2018064936.tif 000003
【図２】
2018064936.tif 000004
【図３】
2018064936.tif 000005
【図４】
2018064936.tif 000006
【図５】
2018064936.tif 000007
【図６】
2018064936.tif 000008
【図７】
2018064936.tif 000009
【図８】
2018064936.tif 000010
【図９】
2018064936.tif 000011
【図１０】
2018064936.tif 000012
【図１１】
2018064936.tif 000013
【図１２】
2018064936.tif 000014
【図１３】
2018064936.tif 000015
【図１４】
2018064936.tif 000016
【図１５】
2018064936.tif 000017
【図１６】
2018064936.tif 000018
【図１７】
2018064936.tif 000019
【図１８】
2018064936.tif 000020
【図１９】
2018064936.tif 000021
【図２０】
2018064936.tif 000022
【図２１】
2018064936.tif 000023
【図２２】
2018064936.tif 000024
【図２３】
2018064936.tif 000025
【図２４】
2018064936.tif 000026
【図２５】
2018064936.tif 000027
【図２６】
2018064936.tif 000028
【図２７】
2018064936.tif 000029
【図２８】
2018064936.tif 000030
【図２９】
2018064936.tif 000031
【図３０】
2018064936.tif 000032
【図３１】
2018064936.tif 000033
【図３２】
2018064936.tif 000034
【図３３】
2018064936.tif 000035
【図３４】
2018064936.tif 000036
【図３５】
2018064936.tif 000037
【図３６】
2018064936.tif 000038